(57)【特許請求の範囲】
【請求項１】
結像光学系と、前記結像光学系を通じて結像した像を撮像する電子撮像素子を有する電子撮像装置であって、
前記結像光学系は、物体側から順に、負の屈折力を有するレンズ群Ｂ、正の屈折力を有するレンズ群Ｃ、さらに１つまたは２つのレンズ群を有する結像光学系であって、
広角端から望遠端に変倍する際に、隣り合うレンズ群の間隔が変化し、
前記レンズ群Ｃは、広角端から望遠端に向かって変倍する際に物体側のみに移動し、
前記レンズ群Ｂにレンズ成分を用いており、
前記レンズ成分は、レンズＬAとレンズＬBとレンズＬCを有する接合レンズであって、
前記レンズ成分において、レンズＬAとレンズＬBとレンズＬCがこの順で接合され、
前記レンズＬBは前記レンズＬAよりも屈折力の絶対値が小さく、
前記レンズ成分が以下の条件式（１）、（３）、（２０）を満足することを特徴とする電子撮像装置。
０．０１≦１／ν2−１／ν1≦０．０６   …（１）
０．５×ν2／ν1＜Ｔν2／Ｔν1＜１０×ν2／ν1  …（３）
−０．０５＜（Δｚ1（h）−Δｚ4（h））／（fw・tanω10w）＜  ０．０８…（２０）
ここで、
ν1は前記レンズＬAのアッベ数（ｎd1−1）／（ｎF1−ｎC1）、
ν2は前記レンズＬBのアッベ数（ｎd2−1）／（ｎF2−ｎC2）、
ｎd1、ｎC1、ｎF1、ｎg1は各々前記レンズＬAのｄ線、Ｃ線、Ｆ線、ｇ線の屈折率、
ｎd2、ｎC2、ｎF2、ｎg2は各々前記レンズＬBのｄ線、Ｃ線、Ｆ線、ｇ線の屈折率、
Ｔν1は前記レンズＬAの温度分散の逆数、
Ｔν2は前記レンズＬBの温度分散の逆数、
であって、
温度分散の逆数Ｔνdは、以下の式で表され、
Ｔνd＝（ｎd20−１）／（ｎd00−ｎd40）
ｎd00はレンズ媒質の0℃におけるｄ線の屈折率、
ｎd20はレンズ媒質の20℃におけるｄ線の屈折率、
ｎd40はレンズ媒質の40℃におけるｄ線の屈折率、
ｚ1は前記レンズＬAの空気接触面Iの形状であって、近軸曲率半径RをＲ1としたときの下記式（１１）に従う形状、
Δｚ1は前記レンズＬAの空気接触面Iの非球面成分であって、近軸曲率半径RをＲ1としたときの下記式（１２）に従う成分、
ｚ4は前記レンズＬCの空気接触面IVの形状であって、近軸曲率半径RをＲ4としたときの下記式（１１）に従う形状、
Δｚ4は前記レンズＬCの空気接触面IVの非球面成分であって、近軸曲率半径RをＲ4としたときの下記式（１２）に従う成分、
ω10wは広角端における最大画角、
fwは前記結像光学系の広角端における全系の焦点距離であり、
前記レンズ成分とは、単レンズ又は接合レンズを意味し、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
Δｚ＝ｚ−ｈ２／Ｒ〔１＋｛１−ｈ2 ／Ｒ2 ｝1/2〕   …（１２）
前記レンズＬAと前記レンズＬBによって接合面IIが形成され、
前記レンズＬBと前記レンズＬCによって接合面IIIが形成され、
光軸方向をｚ、光軸に垂直な方向をｈとする座標軸とし、Ｒを球面成分の光軸上における曲率半径、ｋを円錐定数、Ａ4，Ａ6，Ａ8，Ａ10…を非球面係数として、
上記式（１１）は非球面の形状を表し、
上記式（１２）は偏倚量を表し、
ｈ＝m・ａであり、
φは前記レンズ成分の屈折力、
mは、
前記レンズ群Bの物体側にレンズ群Aを有する場合のみm=1、
前記レンズ群Aに光路を折り曲げるためのプリズムを有する場合はm=1.4、
それ以外の場合はm=2.5であり、
前記レンズ群Aは、望遠端での全系焦点距離よりも短い焦点距離のレンズ群であり、
aは以下の式（１５）に従う量、
a＝(ｙ10)2・log10γ／ｆw…（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【請求項２】
前記レンズ群Ｂの物体側から１番目の負レンズ成分Ｂn1を有し、以下の条件式（１７）を満足することを特徴とする請求項１に記載の電子撮像装置。
１．８５＜ｎBn1＜２．３５  …（１７）
ここで、
ｎBn1は前記負レンズ成分Ｂn1のｄ線の屈折率、
である。
【請求項３】
前記レンズ群Ｂの物体側から２番目の負レンズ成分Ｂn2に前記レンズ成分を用い、
前記レンズ群Ｂの物体側から１番目の負レンズ成分Ｂn1と、前記負レンズ成分Ｂn2の像側に配された正レンズ成分Ｂpを有し、以下の条件式（１８）を満足することを特徴とする請求項１又は請求項２に記載の電子撮像装置。
−０．１０＜ｎBn1−ｎBp＜０．４０  …（１８）
ここで、
ｎBn1は前記負レンズ成分Ｂn1のｄ線の屈折率、
ｎBpは前記負レンズ成分Ｂpのｄ線の屈折率、
である。
【請求項４】
前記レンズ群Ｂの物体側から２番目の負レンズ成分Ｂn2に前記レンズ成分を用い、
前記レンズ群Ｂの物体側から１番目の負レンズ成分Ｂn1と、前記負レンズ成分Ｂn2を有し、以下の条件式（１９）を満足することを特徴とする請求項１から請求項３のいずれか１項に記載の電子撮像装置。
０．０５＜φBn2／φBn1＜０．８０  …（１９）
ここで、
φBn1は前記負レンズ成分Ｂn1の屈折力、
φBn2は前記負レンズ成分Ｂn2の屈折力、
である。
【請求項５】
前記レンズ成分は、以下の条件式（２）、（４）を満足することを特徴とする請求項１に記載の電子撮像装置。
０．０１≦１／ν2−１／ν13≦０．０６   …（２）
０．５×ν2／ν13＜Ｔν2／Ｔν13＜１０×ν2／ν13  …（４）
ここで、
ν3は前記レンズＬCのｄ線基準のアッベ数（ｎd3−1）／（ｎF3−ｎC3）、
ｎd3、ｎC3、ｎF3、ｎg3は各々前記レンズＬCのｄ線、Ｃ線、Ｆ線、ｇ線の屈折率、
ν13は前記アッベ数ν1と前記アッベ数ν3の調和平均値、
Ｔν3は前記レンズＬCの温度分散の逆数、
Ｔν13は前記Ｔν1とＴν3の調和平均値、
である。
【請求項６】
前記接合レンズの接合面は非球面であって、
前記レンズ成分は、以下の条件式（５）を満足することを特徴とする請求項１に記載の電子撮像装置。
−０．０５＜ｎ2−ｎ1＜０．３  …（５）
ここで、
ｎ1は前記レンズＬAのｄ線に対する屈折率、
ｎ2は前記レンズＬBのｄ線に対する屈折率、
である。
【請求項７】
前記接合レンズの接合面は非球面であって、
前記レンズ成分は、以下の条件式（５）、（６）を満足することを特徴とする請求項５に記載の電子撮像装置。
−０．０５＜ｎ2−ｎ1＜０．３  …（５）
−０．０５＜ｎ2−ｎ3＜０．３  …（６）
ここで、
ｎ1は前記レンズＬAのｄ線に対する屈折率、
ｎ2は前記レンズＬBのｄ線に対する屈折率、
ｎ3は前記レンズＬCのｄ線に対する屈折率、
である。
【請求項８】
前記レンズ成分は、横軸をνd、及び縦軸をθgFとする直交座標系において、
θgF＝αgF×ν2＋βgF
で表される直線を設定したときに、前記レンズＬBのθgFとν2が以下の条件式（７）の範囲の下限値であるときの直線、及び上限値であるときの直線で定まる領域と、以下の条件式（８）で定まる領域の両方の領域に含まれることを特徴とする請求項１、及び請求項５から請求項７のいずれか１項に記載の電子撮像装置。
０．７０００＜βgF＜０．８０００  …（７）
３≦ν2≦２７   …（８）
ここで、
αgF＝−０．００２６４、
θgFは前記レンズＬBの部分分散比（ｎg2−ｎF2)／（ｎF2−ｎC2）、
である。
【請求項９】
前記レンズ成分は、横軸をνd、及び縦軸をθhgとする直交座標系において、
θhg＝αhg×ν2＋βhg
で表される直線を設定したときに、前記レンズＬBのθhgとν2が以下の条件式（９）の範囲の下限値であるときの直線、及び上限値であるときの直線で定まる領域と、以下の条件式（８）で定まる領域との両方の領域に含まれることを特徴とする請求項１、及び請求項５から請求項７のいずれか１項に記載の電子撮像装置。
０．６９００＜βhg＜０．８２００  …（９）
３≦ν2≦２７   …（８）
ここで、
αhg＝−０．００３８８、
θhgは前記レンズＬBの部分分散比（ｎh2−ｎg2)／（ｎF2−ｎC2）、
ｎh2は前記レンズＬBのｈ線の屈折率、
である。
【請求項１０】
前記レンズ成分において、前記レンズＬAと前記レンズＬBは互いに異符号の屈折力を有することを特徴とする請求項１、及び請求項５から請求項９のいずれか１項に記載の電子撮像装置。
【請求項１１】
前記レンズ成分は、前記レンズＬAと同符号の屈折力を有することを特徴とする請求項１、及び請求項５から請求項９のいずれか１項に記載の電子撮像装置。
【請求項１２】
前記レンズ成分において、前記レンズＬCと前記レンズＬAは同符号の屈折力を有し、以下の条件式（１０）を満足することを特徴とする請求項５又は請求項７に記載の電子撮像装置。
−２．０＜ｌｏｇ（φ3／φ1）＜０  …（１０）
ここで、
φ1は前記レンズＬAの屈折力、
φ3は前記レンズＬCの屈折力、
である。
【請求項１３】
前記レンズ群Ｂは前記レンズ成分のみからなることを特徴とする請求項１に記載の電子撮像装置。
【請求項１４】
前記レンズ群Ｂの物体側から２番目の負レンズ成分Ｂn2に前記レンズ成分を用いたことを特徴とする請求項１に記載の電子撮像装置。
【請求項１５】
前記レンズ群Ｂよりも物体側にレンズ群Ａを有することを特徴とする請求項１から請求項４、請求項１３、及び請求項１４のいずれか１項に記載の電子撮像装置。
【請求項１６】
前記レンズ群Ａは、物体側から光の進行方向に沿って順番に、負レンズと光路を折り曲げるための反射光学素子とを有することを特徴とする請求項１５に記載の電子撮像装置。
【請求項１７】
前記結合光学系は、物体側から順に、正の屈折力を有するレンズ群Ａと、負の屈折力を有するレンズ群Ｂと、正の屈折力を有し広角端から望遠端に向かって変倍する際に物体側のみに移動するレンズ群Ｃと、さらに１つまたは２つのレンズ群とを有し、
前記レンズ群Ｂの物体側から２番目の負レンズ成分Ｂn2に前記レンズ成分を用いたことを特徴とする請求項１、及び請求項５から請求項１２のいずれか１項に記載の電子撮像装置。
【請求項１８】
前記レンズＬAと前記レンズＬBによって接合面IIが形成され、
前記レンズＬBと前記レンズＬCによって接合面IIIが形成され、
以下の条件式（１４）を満足することを特徴とする請求項１から請求項１７のいずれか１項に記載の電子撮像装置。
−５．０ｅ-4＜P・φ＜５．０ｅ-4  …（１４）
ここで、
Ｐは、前記接合面IIの非球面と分散に関するパラメータであって、以下の式で表され、
Ｐ＝Δｚ2（h）・｛（１／ν1）−（１／ν2）}
＋Δｚ3（h）・｛（１／ν2）−（１／ν3）｝  …（１３）
Ｒ2は前記接合面IIの近軸曲率半径、
Ｒ3は前記接合面IIIの近軸曲率半径、
ｚ2は前記接合面IIの形状であって、上記式（１１）に従う形状、
Δｚ2は前記接合面IIの非球面成分であって、上記式（１２）に従う成分、
ｚ3は前記接合面IIIの形状であって、上記式（１１）に従う形状、
Δｚ3は前記接合面IIIの非球面成分であって、上記式（１２）に従う成分、
ｈ＝m・ａであり、
φは前記レンズ成分の屈折力、
mは、
前記レンズ群Bの物体側にレンズ群Aを有する場合のみm=1、
前記レンズ群Aに光路を折り曲げるためのプリズムを有する場合はm=1.4、
それ以外の場合はm=2.5であり、
前記レンズ群Aは、望遠端での全系焦点距離よりも短い焦点距離のレンズ群であり、
aは以下の式（１５）に従う量、
a＝(ｙ10)2・log10γ／ｆw…（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【請求項１９】
前記レンズＬAと前記レンズＬBによって接合面IIが形成され、
前記レンズＬBと前記レンズＬCによって接合面IIIが形成され、
以下の条件式（１６）を満足することを特徴とする請求項１から請求項１８のいずれか１項に記載の電子撮像装置。
０．０５≦｜ｚ2（h）−ｚ3（h）｜／ｔ2≦０．９５   …（１６）
ここで、
ｚ2は前記接合面IIの形状であって、上記式（１１）に従う形状、
ｚ3は前記接合面IIIの形状又は前記レンズＬBの空気接触面の形状であって、上記式（１１）に従う形状、
ｔ2は前記レンズＬBの光軸上の厚み、
ｈ＝m・ａであり、
mは、
前記レンズ群Bの物体側にレンズ群Aを有する場合のみm=1、
前記レンズ群Aに光路を折り曲げるためのプリズムを有する場合はm=1.4、
それ以外の場合はm=2.5であり、
前記レンズ群Aは、望遠端での全系焦点距離よりも短い焦点距離のレンズ群であり、
aは以下の式（１５）に従う量、
a＝(ｙ10)2・log10γ／ｆw  …（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【請求項２０】
さらに、前記結像光学系を通じて結像した像を前記電子撮像素子で撮像することによって得られた画像データを加工して像の形状を変化させた画像データとして出力する画像処理手段を有し、前記結像光学系が、無限遠物点合焦時に次の条件式（Ａ）を満足することを特徴とする請求項１から請求項１９のいずれか１項に記載の電子撮像装置。
０．７＜ｙ07／（ｆｗ・ｔａｎω07w）＜０．９７  …（Ａ）
ここで、
ｙ07は前記電子撮像素子の有効撮像面内（撮像可能な面内）で中心から最も遠い点までの距離（最大像高）をｙ10としたときｙ07＝０．７・ｙ10として表され、
ω07wは広角端における前記撮像面上の中心からｙ07の位置に結ぶ像点に対応する物点
方向の光軸に対する角度、
ｆｗは広角端における前記結像光学系の全系の焦点距離、
である。
【発明の詳細な説明】
【技術分野】
【０００１】
本発明は、特に光学系に組み込むレンズ成分とそれを用いた結像光学系及び、この結像光学系を有するビデオカメラやデジタルカメラを始めとする電子撮像装置に関するものである。
【背景技術】
【０００２】
デジタルスチルカメラ、ビデオカメラ等の電子撮像装置の市場の成熟度にともない、機能仕様をより高いレベルでバランスさせることが強く望まれてきている。ここで機能仕様とは、例えば、小型・薄型・軽量・低コスト・高画質などである。機能仕様のうち、軽量については、光学系の設計において、比重の小さな有機光学材料を用いることが考えられ、一部の製品に用いられつつある。
【０００３】
しかし、有機光学材料には、（ｉ）温度変化に対する特性の変化がガラスに比べて大きい、（ｉｉ）屈折率が比べて低い、（ｉｉｉ）ガラスと組み合わせた場合、ガラスとの膨張係数の差が大きい、といった設計制約上の問題を有しているため、積極的に導入されるところまで至っていない。
【０００４】
結像光学系に有機光学材料を用いたケースのうち、ほとんどのケースで、有機光学材料は最終レンズ群に導入されている。これは、最終レンズ群が近軸的にまた収差的に影響度の少ないレンズ群であることによる。なお、以下の特許文献に掲載されている実施例のように、有機光学材料の特性を考慮しつつ積極的に導入しているものもある。
【先行技術文献】
【特許文献】
【０００５】
【特許文献１】特開平６−２７３６７０号公報
【特許文献２】特開２００５−１２８１９４号公報
【特許文献３】特開２００８−３１０１３３号公報
【発明の概要】
【発明が解決しようとする課題】
【０００６】
特許文献１では、温度変化による収差変動を、一部のレンズ間距離を同時に変化させることで補正している。しかしながら、このような収差補正を実施するには、記録および演算および駆動手段が必要で、かつ温度センサーが必要となる。また、該レンズ間隔の変化に関係する各レンズ成分は、互いの偏心感度が高いのが通常である。そのため、駆動制御機構が複雑かつ高精度でなくてはならない。また、像点移動の補正については、特に考慮されていない。
【０００７】
特許文献２では、レンズ群ごとに着目すると、パワーの強いレンズほど温度分散の高い材料が用いられている。そのため、レンズ群ごとに温度補償を行なうことが困難である。また、特許文献３では、温度変化に対して最も敏感である正の変倍群に有機光学材料が用いられている。そのため、温度変化に対する収差の変動が大きくなる。また、いずれの文献においても小型薄型化、高画素数化についてまでは考慮されていない。
【０００８】
本発明は、上記の課題に鑑みてなされたものであり、光学系の機能仕様が高くなっても、諸収差が良好に補正された光学系を実現するためのレンズ成分とそれを有する結像光学系、及び撮像装置を提供することを目的とする。
【課題を解決するための手段】
【０００９】
上記の目的を達成するため、本発明における電子撮像装置は、結像光学系と、前記結像光学系を通じて結像した像を撮像する電子撮像素子を有する電子撮像装置であって、
前記結像光学系は、物体側から順に、負の屈折力を有するレンズ群Ｂ、正の屈折力を有するレンズ群Ｃ、さらに１つまたは２つのレンズ群を有する結像光学系であって、
広角端から望遠端に変倍する際に、隣り合うレンズ群の間隔が変化し、
前記レンズ群Ｃは、広角端から望遠端に向かって変倍する際に物体側のみに移動し、
前記レンズ群Ｂにレンズ成分を用いており、
前記レンズ成分は、レンズＬAとレンズＬBとレンズＬCを有する接合レンズであって、
前記レンズ成分において、レンズＬAとレンズＬBとレンズＬCがこの順で接合され、
前記レンズＬBは前記レンズＬAよりも屈折力の絶対値が小さく、
前記レンズ成分が以下の条件式（１）、（３）、（２０）を満足することを特徴としている。
０．０１≦１／ν2−１／ν1≦０．０６   …（１）
０．５×ν2／ν1＜Ｔν2／Ｔν1＜１０×ν2／ν1  …（３）
−０．０５＜（Δｚ1（h）−Δｚ4（h））／（fw・tanω10w）＜  ０．０８…（２０）
ここで、
ν1は前記レンズＬAのアッベ数（ｎd1−1）／（ｎF1−ｎC1）、
ν2は前記レンズＬBのアッベ数（ｎd2−1）／（ｎF2−ｎC2）、
ｎd1、ｎC1、ｎF1、ｎg1は各々前記レンズＬAのｄ線、Ｃ線、Ｆ線、ｇ線の屈折率、
ｎd2、ｎC2、ｎF2、ｎg2は各々前記レンズＬBのｄ線、Ｃ線、Ｆ線、ｇ線の屈折率、
Ｔν1は前記レンズＬAの温度分散の逆数、
Ｔν2は前記レンズＬBの温度分散の逆数、
であって、
温度分散の逆数Ｔνdは、以下の式で表され、
Ｔνd＝（ｎd20−１）／（ｎd00−ｎd40）
ｎd00はレンズ媒質の0℃におけるｄ線の屈折率、
ｎd20はレンズ媒質の20℃におけるｄ線の屈折率、
ｎd40はレンズ媒質の40℃におけるｄ線の屈折率、
ｚ1は前記レンズＬAの空気接触面Iの形状であって、近軸曲率半径RをＲ1としたときの下記式（１１）に従う形状、
Δｚ1は前記レンズＬAの空気接触面Iの非球面成分であって、近軸曲率半径RをＲ1としたときの下記式（１２）に従う成分、
ｚ4は前記レンズＬCの空気接触面IVの形状であって、近軸曲率半径RをＲ4としたときの下記式（１１）に従う形状、
Δｚ4は前記レンズＬCの空気接触面IVの非球面成分であって、近軸曲率半径RをＲ4としたときの下記式（１２）に従う成分、
ω10wは広角端における最大画角、
fwは前記結像光学系の広角端における全系の焦点距離であり、
前記レンズ成分とは、単レンズ又は接合レンズを意味し、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
Δｚ＝ｚ−ｈ２／Ｒ〔１＋｛１−ｈ2 ／Ｒ2 ｝1/2〕   …（１２）
前記レンズＬAと前記レンズＬBによって接合面IIが形成され、
前記レンズＬBと前記レンズＬCによって接合面IIIが形成され、
光軸方向をｚ、光軸に垂直な方向をｈとする座標軸とし、Ｒを球面成分の光軸上における曲率半径、ｋを円錐定数、Ａ4，Ａ6，Ａ8，Ａ10…を非球面係数として、
上記式（１１）は非球面の形状を表し、
上記式（１２）は偏倚量を表し、
ｈ＝m・ａであり、
φは前記レンズ成分の屈折力、
mは、
前記レンズ群Bの物体側にレンズ群Aを有する場合のみm=1、
前記レンズ群Aに光路を折り曲げるためのプリズムを有する場合はm=1.4、
それ以外の場合はm=2.5であり、
前記レンズ群Aは、望遠端での全系焦点距離よりも短い焦点距離のレンズ群であり、
aは以下の式（１５）に従う量、
a＝(ｙ10)2・log10γ／ｆw…（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【００１２】
また、本発明の電子撮像装置は、結像光学系を通じて結像した像を電子撮像素子で撮像することによって得られた画像データを加工して像の形状を変化させた画像データとして出力する画像処理手段を有し、結像光学系が、無限遠物点合焦時に次の条件式（Ａ）を満足することが好ましい。
０．７＜ｙ07／（ｆｗ・ｔａｎω07w）＜０．９７  …（Ａ）
ただし、
ｙ07は電子撮像素子の有効撮像面内（撮像可能な面内）で中心から最も遠い点までの距離（最大像高）をｙ10としたときｙ07＝０．７・ｙ10として表され、
ω07wは広角端における撮像面上の中心からｙ07の位置に結ぶ像点に対応する物点方向の光軸に対する角度、
ｆｗは広角端における結像光学系の全系の焦点距離、
である。
【発明の効果】
【００１３】
本発明によれば、光学系の機能仕様が高くなっても、諸収差が良好に補正された光学系を実現するためのレンズ成分とそれを有する結像光学系、及び撮像装置を提供できる。
【図面の簡単な説明】
【００１４】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（ａ）は広角端、（ｂ）は中間、（ｃ）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明の実施例９にかかるズームレンズの（ａ）は広角端、（ｂ）は中間、（ｃ）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明の実施例１０にかかるズームレンズの（ａ）は広角端、（ｂ）は中間、（ｃ）は望遠端における無限遠物点合焦時の光学構成を示す光軸に沿う断面図である。
【図２０】実施例１０にかかるズームレンズの無限遠物点合焦時における球面収差、非点収差、歪曲収差、倍率色収差を示す図であり、（a）は広角端、（b）は中間、（c）は望遠端での状態を示している。
【図２１】本発明の実施例１１にかかるズームレンズの（ａ）は広角端、（ｂ）は中間、（ｃ）は望遠端における無限遠物点合焦時の光学構成を示す光軸に沿う断面図である。
【図２２】実施例１１にかかるズームレンズの無限遠物点合焦時における球面収差、非点収差、歪曲収差、倍率色収差を示す図であり、（a）は広角端、（b）は中間、（c）は望遠端での状態を示している。
【図２３】本発明の実施例１２にかかるズームレンズの（ａ）は広角端、（ｂ）は中間、（ｃ）は望遠端における無限遠物点合焦時の光学構成を示す光軸に沿う断面図である。
【図２４】実施例１２にかかるズームレンズの無限遠物点合焦時における球面収差、非点収差、歪曲収差、倍率色収差を示す図であり、（a）は広角端、（b）は中間、（c）は望遠端での状態を示している。
【図２５】本発明の実施例１３にかかるズームレンズの（ａ）は広角端、（ｂ）は中間、（ｃ）は望遠端における無限遠物点合焦時の光学構成を示す光軸に沿う断面図である。
【図２６】実施例１３にかかるズームレンズの無限遠物点合焦時における球面収差、非点収差、歪曲収差、倍率色収差を示す図であり、（a）は広角端、（b）は中間、（c）は望遠端での状態を示している。
【図２７】本発明の実施例１４にかかるズームレンズの（ａ）は広角端、（ｂ）は中間、（ｃ）は望遠端における無限遠物点合焦時の光学構成を示す光軸に沿う断面図である。
【図２８】実施例１４にかかるズームレンズの無限遠物点合焦時における球面収差、非点収差、歪曲収差、倍率色収差を示す図であり、（a）は広角端、（b）は中間、（c）は望遠端での状態を示している。
【図２９】本発明の実施例１５にかかるズームレンズの（ａ）は広角端、（ｂ）は中間、（ｃ）は望遠端における無限遠物点合焦時の光学構成を示す光軸に沿う断面図である。
【図３０】実施例１５にかかるズームレンズの無限遠物点合焦時における球面収差、非点収差、歪曲収差、倍率色収差を示す図であり、（a）は広角端、（b）は中間、（c）は望遠端での状態を示している。
【図３１】本発明の実施例１６にかかるズームレンズの（ａ）は広角端、（ｂ）は中間、（ｃ）は望遠端における無限遠物点合焦時の光学構成を示す光軸に沿う断面図である。
【図３２】実施例１６にかかるズームレンズの無限遠物点合焦時における球面収差、非点収差、歪曲収差、倍率色収差を示す図であり、（a）は広角端、（b）は中間、（c）は望遠端での状態を示している。
【図３３】本発明の実施例１７にかかるズームレンズの（ａ）は広角端、（ｂ）は中間、（ｃ）は望遠端における無限遠物点合焦時の光学構成を示す光軸に沿う断面図である。
【図３４】実施例１７にかかるズームレンズの無限遠物点合焦時における球面収差、非点収差、歪曲収差、倍率色収差を示す図であり、（a）は広角端、（b）は中間、（c）は望遠端での状態を示している。
【図３５】本発明の実施例１８にかかるズームレンズの（ａ）は広角端、（ｂ）は中間、（ｃ）は望遠端における無限遠物点合焦時の光学構成を示す光軸に沿う断面図である。
【図３６】実施例１８にかかるズームレンズの無限遠物点合焦時における球面収差、非点収差、歪曲収差、倍率色収差を示す図であり、（a）は広角端、（b）は中間、（c）は望遠端での状態を示している。
【図３７】本発明によるズームレンズを組み込んだデジタルカメラ４０の外観を示す前方斜視図である。
【図３８】デジタルカメラ４０の後方斜視図である。
【図３９】デジタルカメラ４０の光学構成を示す断面図である。
【図４０】本発明のズームレンズが対物光学系として内蔵された情報処理装置の一例であるパソコン３００のカバーを開いた状態の前方斜視図である。
【図４１】パソコン３００の撮影光学系３０３の断面図である。
【図４２】パソコン３００の側面図である。
【図４３】本発明のズームレンズが撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１５】
実施例の説明に先立ち、本実施形態の結像光学系の作用効果について説明する。なお、近軸焦点距離が正の値のレンズを正レンズ、近軸焦点距離が負の値のレンズを負レンズとする。
【００１６】
本実施形態のレンズ成分は、レンズＬAとレンズＬBを有する接合レンズであって、レンズＬBはレンズＬAよりも屈折力の絶対値が小さく、以下の条件式（１）、（３）を満足することを特徴とする。
０．０１≦１／ν2−１／ν1≦０．０６            …（１）
０．５×ν2／ν1＜Ｔν2／Ｔν1＜１０×ν2／ν1  …（３）
ここで、
ν1はレンズＬAのアッベ数（ｎd1−1）／（ｎF1−ｎC1）、
ν2はレンズＬBのアッベ数（ｎd2−1）／（ｎF2−ｎC2）、
ｎd1、ｎC1、ｎF1、ｎg1は、各々レンズＬAのｄ線、Ｃ線、Ｆ線、ｇ線の屈折率、
ｎd2、ｎC2、ｎF2、ｎg2は、各々レンズＬBのｄ線、Ｃ線、Ｆ線、ｇ線の屈折率、
Ｔν1はレンズＬAの温度分散の逆数、
Ｔν2はレンズＬBの温度分散の逆数、
であって、
温度分散の逆数Ｔνdは、以下の式で表され、
Ｔνd＝（ｎd20−１）／（ｎd00−ｎd40）
ｎd00はレンズ媒質の0℃におけるｄ線の屈折率、
ｎd20はレンズ媒質の20℃におけるｄ線の屈折率、
ｎd40はレンズ媒質の40℃におけるｄ線の屈折率、
である。
【００１７】
条件式（１）は色収差補正に必要な条件であり、条件式（１）の下限値を下回ると、レンズ成分を光学系に導入した際に色収差の補正不足が起こりやすい。一方、条件式（１）の上限値を上回る場合、収差補正の面では問題は特にない。しかしながら、レンズの材料が自然界に存在しえない。
【００１８】
レンズＬAとレンズＬBは、特に色収差の補正を目的に接合されている。しかし、いずれかの材料が有機光学材料であると、温度による像点移動が無視できなくなる。従って、双方が色収差をキャンセルするように、温度変化による像点移動についてもキャンセルするとよい。そのためには、以下の関係式（３ａ）を満足することが理想である。
ν2／ν1    ＝  Ｔν2／Ｔν1              …（３ａ）
【００１９】
しかし、像点移動のキャンセルは、色収差補正ほどには厳密である必要はない。そのため、関係式（３ａ）を満足しなくとも、条件式（３）を満足すれば、像点移動のキャンセルと色収差補正ができる。ただし、条件式（３）の上限値を上回るか、または下限値を下回ると、レンズ成分を光学系に導入した際に像点移動が大きくなりすぎる。この場合、フォーカス調整のために、レンズの移動スペースが多く必要となる。このように、条件式（３）を満足しない場合は、薄型化にとって好ましくない。
【００２０】
レンズＬAとレンズＬBに有機光学材料を用いる場合、非球面化が容易であることはよく知られている。本実施形態では、光学系全体を薄くするためにレンズＬAとレンズＬBを接合している。そして、その接合面を非球面化することよって生じる効果に着目し、収差補正に利用している。例えば、レンズＬAとレンズＬBの分散を異ならせ、分散の異なる接合面を非球面とすることで、一次の色収差に加えて、口径や画角に関する高次の色収差（色の球面収差、色コマ収差、倍率色収差）の補正も可能としている。
【００２１】
しかし一方では、屈折率差が大きすぎると他の収差への悪影響が出やすい。そこで、本実施形態のレンズ成分では、前記接合レンズの接合面は非球面であって、以下の条件式（５）を満足することが望ましい。
−０．０５＜ｎ2−ｎ1＜０．３  …（５）
ここで、
ｎ1はレンズＬAのｄ線に対する屈折率、
ｎ2はレンズＬBのｄ線に対する屈折率、
である。
【００２２】
条件式（５）の上限値を上回るか、または下限値を下回ると、球面収差やコマ収差の波長間較差および倍率色収差を補正することはできるが、基準波長の球面収差、コマ収差、歪曲収差が悪化しやすくなるので好ましくない。
【００２３】
ところで、有機光学材料の特性には、前述の屈折率の温度変化の他に、線膨張係数がある。両者は、いずれも光学系の光学特性に影響を及ぼす。レンズＬAとレンズＬBの分散の差を大きくするためには、どうしてもレンズＬAとレンズＬBの線膨張係数の差が大きくなってしまう。その結果、光学系の光学性能に影響を与えてしまう。一方では、分散の差が少ない有機材料同士だと互いに基本的性質が似てしまうので収差補正が難しくなる。そこで、レンズＬBをレンズＬAとレンズＬCとで挟むともに、レンズＬCの材料にレンズＬAと基本的性質が似ている材料を用いる。このようにすると、線膨張係数差の影響も小さくなる。
【００２４】
そこで、本実施形態のレンズ成分は、レンズＬCを更に有し、接合レンズにおいてレンズＬAとレンズＬBとレンズＬCがこの順で接合され、以下の条件式（２）、（４）を満足するとよい。
０．０１≦１／ν2−１／ν13≦０．０６              …（２）
０．５×ν2／ν13＜Ｔν2／Ｔν13＜１０×ν2／ν13  …（４）
ここで、
ν3はレンズＬCのアッベ数（ｎd3−1）／（ｎF3−ｎC3）、
ｎd3、ｎC3、ｎF3、ｎg3は、各々レンズＬCのｄ線、Ｃ線、Ｆ線、ｇ線の屈折率、
ν13はアッベ数ν1とアッベ数ν3の調和平均値、
Ｔν3はレンズＬCの温度分散の逆数、
Ｔν13はＴν1とＴν3の調和平均値、
である。
【００２５】
本実施形態のレンズ成分では、接合レンズが３つのレンズで構成されている。ここで、レンズＬAとレンズＬCを合成して１つのレンズと見なした場合、条件式（２）は条件式（１）に相当する。また、条件式（４）は条件式（３）に相当する。よって、条件式（２）と条件式（４）の技術的意義は、それぞれ条件式（１）と条件式（３）における技術的意義と同じである。
【００２６】
なお、調和平均はx1, ...,xnの "
1256619064537_0
の相加平均" の逆数である。例えば、Ｔν13＝２／［（１／Ｔν1）＋（１／Ｔν3）］となる。
【００２７】
また、本実施形態のレンズ成分は、接合レンズの接合面を非球面であって、以下の条件式（５）、（６）を満足するとより好ましい。
−０．０５＜ｎ2−ｎ1＜０．３  …（５）
−０．０５＜ｎ2−ｎ3＜０．３  …（６）
【００２８】
条件式（５）、（６）ともに上限値を上回るか、または下限値を下回ると、色の球面収差、色コマ収差、倍率色収差を補正することはできるが、同時に基準波長の球面収差、コマ収差、歪曲収差が悪化しやすくなるので好ましくない。
【００２９】
なお、条件式（１）〜（６）に代えて、以下の条件式（１’）、（２’）、（３’）、（４’）、（５’）、（６’）を満足するのが好ましい。
０．０１５≦１／ν2−１／ν1≦０．０５           …（１’）
０．０１５≦１／ν2−１／ν13≦０．０５          …（２’）
０．７×ν2／ν1＜Ｔν2／Ｔν1＜７×ν2／ν1     …（３’）
０．７×ν2／ν13＜Ｔν2／Ｔν13＜７×ν2／ν13  …（４’）
−０．０２＜ｎ2−ｎ1＜０．２５                   …（５’）
−０．０２＜ｎ2−ｎ3＜０．２５                   …（６’）
【００３０】
また、条件式（１）〜（６）に代えて、以下の条件式（１”）、（２”）、（３”）、（４”）、（５”）、（６”）を満足するとさらに好ましい。
０．０２≦１／ν2−１／ν1≦０．０４     …（１”）
０．０２≦１／ν2−１／ν13≦０．０４    …（２”）
ν2／ν1＜Ｔν2／Ｔν1＜４×ν2／ν1     …（３”）
ν2／ν13＜Ｔν2／Ｔν13＜４×ν2／ν13  …（４”）
０．０＜ｎ2−ｎ1＜０．１５               …（５”）
０．０＜ｎ2−ｎ3＜０．１５               …（６”）
【００３１】
なお、複数の条件式を同時に満足する場合、そのうちの１つ条件式を置き換えることができる。例えば、条件式（１）と条件式（３）を満足する場合、条件式（１）を条件式（１’）に置き換えて、条件式（１’）と条件式（３）を満足するようにしても良い。
【００３２】
また、本実施形態のレンズ成分は、横軸をνd、及び縦軸をθgFとする直交座標系において、
θgF＝αgF×ν2＋βgF
で表される直線を設定したときに、レンズＬBのθgFとν2が以下の条件式（７）の範囲の下限値であるときの直線、及び上限値であるときの直線で定まる領域と、以下の条件式（８）で定まる領域の両方の領域に含まれることが好ましい。
０．７０００＜βgF＜０．８０００  …（７）
３≦ν2≦２７                     …（８）
ここで、
αgF＝−０．００２６４、
θgFはレンズＬBの部分分散比（ｎg2−ｎF2)／（ｎF2−ｎC2）、
である。
【００３３】
条件式（７）の下限値を下回る場合、二次スペクトルによる色収差、つまりＦ線とＣ線で色消しをした場合のｇ線の色収差補正が十分でなくなる。そのため、撮像で得た画像において、画像の鮮鋭さを確保することが難しくなる。一方、条件式（７）の上限値を上回る場合、二次スペクトルが補正過剰となり、撮像で得た画像において、画像の鮮鋭さを確保することが困難となる。
【００３４】
また、条件式（８）の上限値を上回った場合、または、下限値を下回った場合いずれにおいても、Ｆ線とＣ線との色消し自体が困難で、ズーム時の色収差変動が大きくなる。そのため、撮像で得た画像において、画像の鮮鋭さを確保することが困難となる。特に、上限値を上回ると、色収差の補正がより困難になる。
【００３５】
なお、条件式（７）に代えて、次の条件式（７’）を満足するのがより望ましい。
０．７１００＜βgF＜０．７８００  …（７’）
【００３６】
さらに、条件式（７）に代えて、次の条件式（７”）を満足すると最も良い。
０．７２００＜βgF＜０．７６００  …（７”）
【００３７】
なお、条件式（８）に代えて、次の条件式（８’）を満足するのがより望ましい。
１０≦ν2≦２５．５  …（８’）
【００３８】
さらに、条件式（８）に代えて、次の条件式（８”）を満足すると最も良い。
１５≦ν2≦２４  …（８”）
【００３９】
また、本実施形態のレンズ成分は、横軸をνd、及び縦軸をθhgとする直交座標系において、
θhg＝αhg×ν2＋βhg
で表される直線を設定したときに、レンズＬBのθhgとν2が以下の条件式（９）の範囲の下限値であるときの直線、及び上限値であるときの直線で定まる領域と、以下の条件式（８）で定まる領域との両方の領域に含まれるとよい。
０．６９００＜βhg＜０．８２００  …（９）
３≦ν2≦２７                     …（８）
ここで、
αhg＝−０．００３８８、
θhgは前記レンズＬBの部分分散比（ｎh2−ｎg2)／（ｎF2−ｎC2）、
ｎh2は前記レンズＬBのｈ線の屈折率、
である。
【００４０】
条件式（９）の下限値を下回る場合、二次スペクトルによる色収差、つまりＦ線とＣ線で色消しをした場合のｈ線の色収差補正が十分でなくなる。そのため、撮像で得た画像において、画像に紫の色フレア、色にじみが発生しやすい。一方、条件式（９）の上限値を上回る場合、この硝材を負（凹）レンズに用いたときの二次スペクトルによる色収差、つまりＦ線とＣ線で色消しをした場合のｈ線の色収差補正が十分でなくなる。そのため、撮像で得た画像において、画像に紫の色フレア、色にじみが発生しやすい。
【００４１】
なお、条件式（９）に代えて、次の条件式（９’）を満足するのがより望ましい。
０．７０００＜βhg＜０．８０００  …（９’）
【００４２】
さらに、条件式（９）に代えて、次の条件式（９”）を満足すると最も良い。
０．７１００＜βhg＜０．７８００  …（９”）
【００４３】
また、本実施形態のレンズ成分は、レンズＬAとレンズＬBは互いに異符号の屈折力を有するようにしたほうが良い。このようにすると、色収差補正や温度補償を良好に行なうことができる。
【００４４】
また、本実施形態のレンズ成分は、レンズ成分とレンズＬAは同符号の屈折力であることが好ましい。このようにすると、色収差補正や温度補償を良好に行なうことができる。
【００４５】
また、本実施形態のレンズ成分は、レンズＬCとレンズＬAは同符号の屈折力を有し、以下の条件式（１０）を満足するほうが好ましい。
−２．０＜ｌｏｇ（φ3／φ1）＜０  …（１０）
ここで、
φ1はレンズＬAの屈折力、
φ3はレンズＬCの屈折力、
である。
【００４６】
条件式（１０）の上限を上回ると、３枚接合にすることによる膨張係数差の影響緩和の効果は失われないが、一方のレンズにパワーが集中することになる。この場合、枚数増加による収差補正上のメリットが生かせずに、レンズ成分全体の厚みが厚くなってしまう。
【００４７】
なお、条件式（１０）に代えて、次の条件式（１０’）を満足するのがより望ましい。
−１．５＜ｌｏｇ（φ3／φ1）＜０  ・・・（１０’）
【００４８】
さらに、条件式（１０）に代えて、次の条件式（１０”）を満足すると最も良い。
−１．０＜ｌｏｇ（φ3／φ1）＜０  ・・・（１０”）
【００４９】
なお、本実施形態のレンズ成分は、全体として負の屈折力であるのが好ましい。このようにすると、結像光学系に適用しやすい。
【００５０】
また、本実施形態の結像光学系は、物体側から順に、負の屈折力を有するレンズ群Ｂ、正の屈折力を有するレンズ群Ｃ、さらに１つまたは２つのレンズ群を有する結像光学系であって、レンズ群Ｃは、広角端から望遠端に向かって変倍する際に物体側のみに移動し、レンズ群Ｂに上記のレンズ成分を用いたことを特徴とする。
【００５１】
より好ましくは、レンズ群Ｂを構成するレンズ成分のうち、負の屈折力を有するレンズ成分に上記のレンズ成分を用いると良い。
【００５２】
また、本実施形態の結像光学系は、レンズ群Ｂは上記のレンズ成分のみからなることが好ましい。
【００５３】
また、本実施形態の結像光学系は、レンズ群Ｂの物体側から２番目の負レンズ成分Ｂn2に上記のレンズ成分を用いることが好ましい。
【００５４】
また、本実施形態の結像光学系は、レンズ群Ｂよりも物体側にレンズ群Ａを有する構成としても良い。
【００５５】
また、本実施形態の結像光学系は、レンズ群Ａは、物体側から光の進行方向に沿って、負レンズと光路を折り曲げるための反射光学素子の順で有する構成としても良い。
【００５６】
また、本実施形態の結像光学系は、物体側から順に、正の屈折力を有するレンズ群Ａ、負の屈折力を有するレンズ群Ｂ、正の屈折力を有し広角端から望遠端に向かって変倍する際に物体側のみに移動するレンズ群Ｃ、さらに１つまたは２つのレンズ群を有する結像光学系としてもよい。
【００５７】
そして、レンズ群Ｂの物体側から２番目の負レンズ成分Ｂn2に上記のレンズ成分を用いると良い。
【００５８】
また、本実施形態の結像光学系は、レンズ群Ｂの物体側から１番目の負レンズ成分Ｂn1を有し、以下の条件式（１７）を満足するとよい。
１．８５＜ｎBn1＜２．３５  …（１７）
ここで、
ｎBn1は負レンズ成分Ｂn1のｄ線の屈折率、
である。
【００５９】
また、条件式（１７）に代えて、条件式（１７’）を満足するのがより望ましい。
１．９０＜ｎBn1＜２．３０  …（１７’）
【００６０】
さらに、条件式（１７）に代えて、条件式（１７”）を満足すると最も良い。
２．００＜ｎBn1＜２．２５  …（１７”）
【００６１】
また、本実施形態の結像光学系は、レンズ群Ｂの物体側から１番目の負レンズ成分Ｂn1と、負レンズ成分Ｂn2の像側に配された正レンズ成分Ｂpを有し、以下の条件式（１８）を満足するとよい。
−０．１０＜ｎBn1−ｎBp＜０．４０  …（１８）
ここで、
ｎBn1は負レンズ成分Ｂn1のｄ線の屈折率、
ｎBpは正レンズ成分Ｂpのｄ線の屈折率、
である。
【００６２】
条件式（１８）の上限値を上回ると、結像光学系の変倍時におけるコマ収差の変動が大きくなりやすい。一方、条件式（１８）の下限値を下回ると、ペッツバール和が負の値をとりやすい。
【００６３】
また、条件式（１８）に代えて、条件式（１８’）を満足するのがより望ましい。
０．００＜ｎBn1−ｎBp＜０．２０  …（１８’）
【００６４】
さらに、条件式（１８）に代えて、条件式（１８”）を満足すると最も良い。
０．０３＜ｎBn1−ｎBp＜０．０８  …（１８”）
【００６５】
また、本実施形態の結像光学系は、レンズ群Ｂの物体側から１番目の負レンズ成分Ｂn1と、負レンズ成分Ｂn2を有し、以下の条件式（１９）を満足すると良い。
０．０５＜φBn2／φBn1＜０．８０  …（１９）
ここで、
φBn1は前記負レンズ成分Ｂn1の屈折力、
φBn2は前記負レンズ成分Ｂn2の屈折力、
である。
【００６６】
条件式（１９）の下限値を下回ると、負レンズ成分Ｂn1に負担が掛かりすぎる。そのため、特に広角側でのコマ収差、非点収差、歪曲収差の補正には不利である。また、条件式（１９）の上限値を上回ると、全長短縮など小型薄型化に不利となる。
【００６７】
また、条件式（１９）に代えて、条件式（１９’）を満足するのがより望ましい。
０．１０＜φBn2／φBn1＜０．７０  …（１９’）
【００６８】
さらに、条件式（１９）に代えて、条件式（１９”）を満足すると最も良い。
０．１５＜φBn2／φBn1＜０．６０  …（１９”）
【００６９】
また、本実施形態の結像光学系は、以下の条件式（２０）を満足するとよい。
−０．０５＜（Δｚ1（h）−Δｚ4（h））／（fw・tanω10w）＜  ０．０８…（２０）
ここで、
ｚ1はレンズＬAの空気接触面Iの形状であって、近軸曲率半径RをＲ1としたときの上記式（１１）に従う形状、
Δｚ1はレンズＬAの空気接触面Iの非球面成分であって、近軸曲率半径RをＲ1としたときの上記式（１２）に従う成分、
ｚ4はレンズＬCの空気接触面IVの形状であって、近軸曲率半径RをＲ4としたときの上記式（１１）に従う形状、
Δｚ4はレンズＬCの空気接触面IVの非球面成分であって、近軸曲率半径RをＲ4としたときの上記式（１２）に従う成分、
ω10wは広角端における最大画角、
fwは結像光学系の広角端における全系の焦点距離、
である。
【００７０】
なお、レンズＬCがない場合には、レンズＬCの空気接触面IVの形状を示すｚ4、Δｚ4、Ｒ4の代わりにレンズＬBの空気接触面IIIの形状を示すｚ3、Δｚ3、Ｒ3、を用いる。
【００７１】
条件式（２０）の下限値を下回ると、特に広角側でのコマ収差、非点収差、歪曲収差の補正度合いが不足しやすい。一方、条件式（２０）の上限値を上回ると前記収差のいずれかが逆方向に却って悪化しやすい。
【００７２】
また、条件式（２０）に代えて、条件式（２０’）を満足するのがより望ましい。
−０．０３＜（Δｚ1（h）−Δｚ4（h））／（fw・tanω10w）＜０．０６
…（２０’）
【００７３】
さらに、条件式（２０）に代えて、条件式（２０”）を満足すると最も良い。
−０．０１＜（Δｚ1（h）−Δｚ4（h））／（fw・tanω10w）＜０．０４
…（２０”）
【００７４】
また、本実施形態の電子撮像装置によれば、上述の結像光学系と、結像光学系を通じて結像した像を撮像する電子撮像素子を有することが好ましい。
【００７５】
また、本実施形態の電子撮像装置は、上述の電子撮像装置において、レンズＬCを有し、レンズＬAとレンズＬBによって接合面IIが形成され、レンズＬBとレンズＬCによって接合面IIIが形成され、光軸方向をｚ、光軸に垂直な方向をｈとする座標軸とし、Ｒを球面成分の光軸上における曲率半径、ｋを円錐定数、Ａ４，Ａ６，Ａ８，Ａ１０…を非球面係数として、
前記非球面の形状を下記の式（１１）で表すと共に、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
偏倚量を下記の式（１２）で表した場合、
Δｚ＝ｚ−ｈ２／Ｒ〔１＋｛１−ｈ2 ／Ｒ2 ｝1/2〕          …（１２）
次式（１３）にて定義されるPが以下の条件式（１４）を満足することが好ましい。
−５．０ｅ-4＜P・φ＜５．０ｅ-4  …（１４）
ここで、
Ｐは、接合面IIの非球面と分散に関するパラメータであって、以下の式で表され、
Ｐ＝Δｚ2（h）・｛（１／ν1）−（１／ν2）}
＋Δｚ3（h）・｛（１／ν2）−（１／ν3）｝  …（１３）
Ｒ2は接合面IIの近軸曲率半径
Ｒ3は接合面IIIの近軸曲率半径、
ｚ2は接合面IIの形状であって、上記式（１１）に従う形状、
Δｚ2は接合面IIの非球面成分であって、上記式（１２）に従う成分、
ｚ3は接合面IIIの形状であって、上記式（１１）に従う形状、
Δｚ3は接合面IIIの非球面成分であって、上記式（１２）に従う成分、
レンズＬCがない場合は１／ν3＝０とし、
ｈ＝m・ａであり、
φはレンズ成分の屈折力、
mは、
レンズ群Bの物体側にレンズ群Aを有する場合のみm=1、
レンズ群Aに光路を折り曲げるためのプリズムを有する場合はm=1.4、
それ以外の場合はm=2.5であり、
レンズ群Aは、望遠端での全系焦点距離よりも短い焦点距離のレンズ群であり、
aは以下の式（１５）に従う量、
a＝(ｙ10)2・log10γ／ｆw…（１５）
ｙ10は結像光学系の結像位置近傍に配置された電子撮像素子の有効撮像面内において、中心から最も遠い点までの距離、
ｆwは結像光学系の広角端における全系の焦点距離、
γはズーム比（望遠端での全系焦点距離／広角端での全系焦点距離）、
また、各面の面頂を原点とするため、常にｚ（０）＝０、
である。
【００７６】
条件式（１４）の下限値を下回ると、特に広角側において、コマ収差を補正しながら高次の色収差、つまり色の球面収差、色コマ、倍率色収差の像高に関する高次成分（色の歪曲収差）を補正することが困難となる。一方、条件式（１４）の上限値を上回ると、これらの高次の色収差の補正が過剰となるか、d線など基準となる波長に対する収差が悪化しやすい。
【００７７】
なお、条件式（１４）に代えて、次の条件式（１４’）を満足すると、より好ましい。
−４．０ｅ-4＜P・φ＜３．０ｅ-4  ・・・（１４’）
ここで、ｈ＝m・aである。
【００７８】
さらに、条件式（１４）に代えて、次の条件式（１４”）を満足すると、より一層好ましい。
−３．０ｅ-4＜P・φ＜１．５ｅ-4  ・・・（１４”）
ここで、ｈ＝m・aである。
【００７９】
また、本実施形態の電子撮像装置は、上述の電子撮像装置において、レンズＬCを有し、レンズＬAとレンズＬBによって接合面IIが形成され、レンズＬBとレンズＬCによって接合面IIIが形成され、光軸方向をｚ、光軸に垂直な方向をｈとする座標軸とし、Ｒを球面成分の光軸上における曲率半径、ｋを円錐定数、Ａ４，Ａ６，Ａ８，Ａ１０…を非球面係数として、次の式（１１）で表した場合、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
以下の条件式（１６）を満足することが好ましい。
０．０５≦｜ｚ2（h）−ｚ3（h）｜／ｔ2≦０．９５         …（１６）
ここで、
ｚ2は接合面IIの形状であって、上記式（１１）に従う形状、
ｚ3は接合面IIIの形状又はレンズＬBの空気接触面の形状であって、上記式（１１）に従う形状、
ｔ2はレンズＬBの光軸上の厚み、
ｈ＝m・ａであり、
mは、
レンズ群Bの物体側にレンズ群Aを有する場合のみm=1、
レンズ群Aに光路を折り曲げるためのプリズムを有する場合はm=1.4、
それ以外の場合はm=2.5であり、
レンズ群Aは、望遠端での全系焦点距離よりも短い焦点距離のレンズ群であり、
aは以下の式（１５）に従う量、
a＝(ｙ10)2・log10γ／ｆw  …（１５）
ｙ10は結像光学系の結像位置近傍に配置された電子撮像素子の有効撮像面内において、中心から最も遠い点までの距離、
ｆwは結像光学系の広角端における全系の焦点距離、
γはズーム比（望遠端での全系焦点距離／広角端での全系焦点距離）、
また、各面の面頂を原点とするため、常にｚ（０）＝０、
である。
【００８０】
条件式（１６）の下限値を下回ると、色収差の補正が不十分になりやすい。条件式（１６）の上限値を上回ると、正レンズを薄く加工することを考えた場合に周辺部の縁肉確保が困難になる。
【００８１】
また、条件式（１６）に代えて、条件式（１６’）を満足するのがより望ましい。
０．０８≦｜ｚ2（h）−ｚ3（h）｜／ｔ2≦０．８０  …（１６’）
ここで、ｈ＝m・aである。
【００８２】
さらに、条件式（１６）に代えて、条件式（１６”）を満足すると最も良い。
０．１０≦｜ｚ2（h）−ｚ3（h）｜／ｔ2≦０．６５  …（１６”）
ここで、ｈ＝m・aである。
【００８３】
また、本実施形態の電子撮像装置は、上述の結像光学系と、電子撮像素子と、結像光学系を通じて結像した像を電子撮像素子で撮像することによって得られた画像データを加工して像の形状を変化させた画像データとして出力する画像処理手段とを有し、結像光学系が、無限遠物点合焦時に次の条件式（Ａ）を満足することを特徴とすることが望ましい。
０．７＜ｙ07／（ｆｗ・ｔａｎω07w）＜０．９７  …（Ａ）
但し、ｙ07は電子撮像素子の有効撮像面内（撮像可能な面内）で中心から最も遠い点までの距離（最大像高）をｙ10としたときｙ07＝０．７・ｙ10として表され、ω07wは広角端における撮像面上の中心からｙ07の位置に結ぶ像点に対応する物点方向の光軸に対する角度、ｆｗは広角端における結像光学系の全系の焦点距離である。
【００８４】
上述した結像光学系は、色収差などを悪化させることなく光学系全長や沈胴厚を薄くすることが可能である。そのため、電子撮像装置にこのような結像光学系を用いると、高画質な画像を得られつつ薄型化された電子撮像装置を得ることができる。
【実施例】
【００８５】
以下に、本発明にかかる結像光学系及び電子撮像装置の実施例を図面に基づいて詳細に説明する。なお、この実施例によりこの発明が限定されるものではない。また、各実施例において、レンズ形状についての説明があるが、これは、少なくとも近軸での形状を指している。例えば、メニスカスレンズと称している場合、これは、少なくとも近軸での形状がメニスカス形状であることを意味する。よって、メニスカスレンズと称していても、非球面となっているレンズ面では、場合によって周縁部で両凹形状や、両凸形状になることもありうる。
【００８６】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００８７】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００８８】
実施例１のズームレンズは、図１に示すように、物体側より順に、負の屈折力を有する第１レンズ群Ｇ１と、正の屈折力を有する第２レンズ群Ｇ２と、正の屈折力を有する第３レンズ群Ｇ３と、を有している。
なお、以下全ての実施例において、レンズ断面図中、ＬＰＦ又はＦはローパスフィルター、ＣＧ又はＣはカバーガラス、Ｉは電子撮像素子の撮像面を示している。
【００８９】
第１レンズ群Ｇ１は、物体側より順に、物体側に凸面を向けた負メニスカスレンズＬ１と物体側に凸面を向けた正メニスカスレンズＬ２と物体側に凸面を向けた負メニスカスレンズＬ３との接合レンズと、で構成されており、全体で負の屈折力を有している。
負メニスカスレンズＬ１はレンズＬAに対応し、正メニスカスレンズＬ２はレンズＬBに対応し、負メニスカスレンズＬ３はレンズＬCに対応する。そして、レンズＬAとレンズＬCには硝材Ａが用いられ、レンズＬBには硝材Ｃが用いられている。
【００９０】
第２レンズ群Ｇ２は、物体側より順に、両凸正レンズＬ４と、物体側に凸面を向けた負メニスカスレンズＬ５と、で構成されており、全体で正の屈折力を有している。
両凸正レンズＬ４と負メニスカスレンズＬ５との間に、開口絞りＳが配置されている。
【００９１】
第３レンズ群Ｇ３は、両凸正レンズＬ６で構成されており、全体で正の屈折力を有している。
【００９２】
広角端から望遠端へと変倍する際には、第１レンズ群Ｇ１は像側へ移動した後に物体側へ移動する。第２レンズ群Ｇ２は、物体側へ移動する。第３レンズ群Ｇ３は、像側へ移動した後に物体側へ移動する。明るさ絞りＳは、第２レンズ群Ｇ２とともに移動する。
【００９３】
非球面は、第１レンズ群Ｇ１の物体側の負メニスカスレンズＬ１の物体側の面と像側の負メニスカスレンズＬ３の像側の面と、第２レンズ群Ｇ２の両凸正レンズＬ４の両面と負メニスカスレンズＬ５の両面と、第３レンズ群Ｇ３の両凸正レンズＬ６の像側の面と、の７面に設けられている。
【００９４】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００９５】
図４は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【００９６】
実施例２のズームレンズは、図３に示すように、物体側より順に、負の屈折力を有する第１レンズ群Ｇ１と、正の屈折力を有する第２レンズ群Ｇ２と、正の屈折力を有する第３レンズ群Ｇ３と、を有している。
【００９７】
第１レンズ群Ｇ１は、物体側より順に、物体側に凸面を向けた負メニスカスレンズＬ１と物体側に凸面を向けた正メニスカスレンズＬ２と物体側に凸面を向けた負メニスカスレンズＬ３との接合レンズと、で構成されており、全体で負の屈折力を有している。
負メニスカスレンズＬ１はレンズＬCに対応し、正メニスカスレンズＬ２はレンズＬBに対応し、負メニスカスレンズＬ３はレンズＬAに対応する。そして、レンズＬAとレンズＬCには硝材Ａが用いられ、レンズＬBには硝材Ｃが用いられている。
【００９８】
第２レンズ群Ｇ２は、物体側より順に、両凸正レンズＬ４と、物体側に凸面を向けた負メニスカスレンズＬ５と、で構成されており、全体で正の屈折力を有している。
両凸正レンズＬ４と負メニスカスレンズＬ５との間に、開口絞りＳが配置されている。
【００９９】
第３レンズ群Ｇ３は、両凸正レンズＬ６で構成されており、全体で正の屈折力を有している。
【０１００】
広角端から望遠端へと変倍する際には、第１レンズ群Ｇ１は像側へ移動した後に物体側へ移動する。第２レンズ群Ｇ２は、物体側へ移動する。第３レンズ群Ｇ３は、像側へ移動した後に物体側へ移動する。明るさ絞りＳは、第２レンズ群Ｇ２とともに移動する。
【０１０１】
非球面は、第１レンズ群Ｇ１の物体側の負メニスカスレンズＬ１の物体側の面と像側の負メニスカスレンズＬ３の像側の面と、第２レンズ群Ｇ２の両凸正レンズＬ４の両面と負メニスカスレンズＬ５の両面と、第３レンズ群Ｇ３の両凸正レンズＬ６の像側の面と、の７面に設けられている。
【０１０２】
次に、本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０３】
図６は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１０４】
実施例３のズームレンズは、図５に示すように、物体側より順に、負の屈折力を有する第１レンズ群Ｇ１と、正の屈折力を有する第２レンズ群Ｇ２と、正の屈折力を有する第３レンズ群Ｇ３と、負の屈折力を有する第４レンズ群Ｇ４と、を有している。
【０１０５】
第１レンズ群Ｇ１は、物体側より順に、像側に凸面を向けた負メニスカスレンズＬ１と像側に凸面を向けた正メニスカスレンズＬ２と両凹負レンズＬ３との接合レンズで構成されており、全体で負の屈折力を有している。
負メニスカスレンズＬ１はレンズＬCに対応し、正メニスカスレンズＬ２はレンズＬBに対応し、両凹負レンズＬ３はレンズＬAに対応する。そして、レンズＬAとレンズＬCには硝材Ａが用いられ、レンズＬBには硝材Ｂが用いられている。
【０１０６】
第２レンズ群Ｇ２は、物体側より順に、物体側に凸面を向けた正メニスカスレンズＬ４と物体側に凸面を向けた負メニスカスレンズＬ５との接合レンズと、物体側に凸面を向けた正メニスカスレンズＬ６と、で構成されており、全体で正の屈折力を有している。
負メニスカスレンズＬ５と正メニスカスレンズＬ６との間に、開口絞りＳが配置されている。
正メニスカスレンズＬ４はレンズＬAに対応し、負メニスカスレンズＬ５はレンズＬBに対応する。そして、レンズＬAには硝材Ａが用いられ、レンズＬBには硝材Ｂが用いられている。
【０１０７】
第３レンズ群Ｇ３は、像側に凸面を向けた正メニスカスレンズＬ７で構成されており、全体で正の屈折力を有している。
【０１０８】
第４レンズ群Ｇ４は、両凹負レンズＬ８で構成されており、全体で負の屈折力を有している。
【０１０９】
広角端から望遠端へと変倍する際には、第１レンズ群Ｇ１は物体側へ移動する。第２レンズ群Ｇ２は物体側へ移動する。第３レンズ群Ｇ３は像側へ移動する。第４レンズ群Ｇ４は固定されている。明るさ絞りＳは、第２レンズ群Ｇ２とともに移動する。
【０１１０】
非球面は、第１レンズ群Ｇ１の負メニスカスレンズＬ１の両面と両凹負レンズＬ３の像側の面と、第２レンズ群Ｇ２の物体側の正メニスカスレンズＬ４の物体側の面と負メニスカスレンズＬ５の像側の面と像側の正メニスカスレンズＬ６の物体側の面と、第３レンズ群Ｇ３の正メニスカスレンズＬ７の像側の面と、第４レンズ群Ｇ４の両凹負レンズＬ８の物体側の面と、の８面に設けられている。
【０１１１】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１２】
図８は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１３】
実施例４のズームレンズは、図７に示すように、物体側より順に、負の屈折力を有する第１レンズ群Ｇ１と、正の屈折力を有する第２レンズ群Ｇ２と、正の屈折力を有する第３レンズ群Ｇ３と、負の屈折力を有する第４レンズ群Ｇ４と、を有している。
【０１１４】
第１レンズ群Ｇ１は、物体側より順に、両凹負レンズＬ１と物体側に凸面を向けた正メニスカスレンズＬ２と物体側に凸面を向けた負メニスカスレンズＬ３との接合レンズと、で構成されており、全体で負の屈折力を有している。
両凹負レンズＬ１はレンズＬAに対応し、正メニスカスレンズＬ２はレンズＬBに対応し、負メニスカスレンズＬ３はレンズＬCに対応する。そして、レンズＬAとレンズＬCには硝材Ａが用いられ、レンズＬBには硝材Ｄが用いられている。
【０１１５】
第２レンズ群Ｇ２は、物体側より順に、物体側に凸面を向けた正メニスカスレンズＬ４と物体側に凸面を向けた負メニスカスレンズＬ５との接合レンズと、両凸正レンズＬ６と、で構成されており、全体で正の屈折力を有している。
負メニスカスレンズＬ５と両凸正レンズＬ６との間に、開口絞りＳが配置されている。  正メニスカスレンズＬ４はレンズＬAに対応し、負メニスカスレンズＬ５はレンズＬBに対応する。そして、レンズＬAには硝材Ａが用いられ、レンズＬBには硝材Ｂが用いられている。
【０１１６】
第３レンズ群Ｇ３は、像側に凸面を向けた正メニスカスレンズＬ７で構成されており、全体で正の屈折力を有している。
【０１１７】
第４レンズ群Ｇ４は、両凹負レンズＬ８で構成されており、全体で負の屈折力を有している。
【０１１８】
広角端から望遠端へと変倍する際には、第１レンズ群Ｇ１は物体側へ移動する。第２レンズ群Ｇ２は物体側へ移動する。第３レンズ群Ｇ３は像側へ移動する。第４レンズ群Ｇ４は固定されている。明るさ絞りＳは、第２レンズ群Ｇ２とともに移動する。
【０１１９】
非球面は、第１レンズ群Ｇ１の両凹負レンズＬ１の両面と負メニスカスレンズＬ３の像側の面と、第２レンズ群Ｇ２の正メニスカスレンズＬ４の物体側の面と負メニスカスレンズＬ５の像側の面と両凸正レンズＬ６の物体側の面と、第３レンズ群Ｇ３の正メニスカスレンズＬ７の像側の面と、第４レンズ群Ｇ４の両凹負レンズＬ８の物体側の面と、の８面に設けられている。
【０１２０】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２１】
図１０は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２２】
実施例５のズームレンズは、図９に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４と、を有している。
【０１２３】
第１レンズ群Ｇ１は、物体側より順に、両凹負レンズＬ１と物体側に凸面を向けた正メニスカスレンズＬ２との接合レンズと、で構成されており、全体で負の屈折力を有している。
両凹負レンズＬ１はレンズＬAに対応し、正メニスカスレンズＬ２はレンズＬBに対応する。そして、レンズＬAには硝材Ａが用いられ、レンズＬBには硝材Ｂが用いられている。
【０１２４】
第２レンズ群Ｇ２は、物体側より順に、物体側に凸面を向けた正メニスカスレンズＬ３と物体側に凸面を向けた負メニスカスレンズＬ４と物体側に凸面を向けた正メニスカスレンズＬ５との接合レンズで構成されており、全体で正の屈折力を有している。
正メニスカスレンズＬ３はレンズＬAに対応し、負メニスカスレンズＬ４はレンズＬBに対応し、正メニスカスレンズＬ５はレンズＬCに対応する。そして、レンズＬA、レンズＬCには硝材Ａが用いられ、レンズＬBには硝材Ｂが用いられている。
【０１２５】
第３レンズ群Ｇ３は、像側に凸面を向けた正メニスカスレンズＬ６で構成されており、全体で正の屈折力を有している。
【０１２６】
第４レンズ群Ｇ４は、両凹負レンズＬ７で構成されており、全体で負の屈折力を有している。
【０１２７】
広角端から望遠端へと変倍する際には、第１レンズ群Ｇ１は像側へ移動した後に物体側へ移動する。第２レンズ群Ｇ２は物体側へ移動する。第３レンズ群Ｇ３は像側へ移動する。第４レンズ群Ｇ４は固定されている。明るさ絞りＳは、第２レンズ群Ｇ２とともに移動する。
【０１２８】
非球面は、第１レンズ群Ｇ１の接合レンズの３面と、第２レンズ群Ｇ２の物体側の正メニスカスレンズＬ３の物体側の面と像側の正メニスカスレンズＬ５の両面と、第３レンズ群Ｇ３の正メニスカスレンズＬ６の像側の面と、第４レンズ群Ｇ４の両凹負レンズＬ７の物体側の面と、の８面に設けられている。
【０１２９】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３０】
図１２は実施例６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３１】
実施例６のズームレンズは、図１１に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４と、を有している。
【０１３２】
第１レンズ群Ｇ１は、物体側より順に、両凹負レンズＬ１と物体側に凸面を向けた正メニスカスレンズＬ２との接合レンズと、で構成されており、全体で負の屈折力を有している。
両凹負レンズＬ１はレンズＬAに対応し、正メニスカスレンズＬ２はレンズＬBに対応する。そして、レンズＬAには硝材Ａが用いられ、レンズＬBには硝材Ｄが用いられている。
【０１３３】
第２レンズ群Ｇ２は、物体側より順に、物体側に凸面を向けた正メニスカスレンズＬ３と物体側に凸面を向けた負メニスカスレンズＬ４と物体側に凸面を向けた正メニスカスレンズＬ５との接合レンズで構成されており、全体で正の屈折力を有している。
正メニスカスレンズＬ３はレンズＬAに対応し、負メニスカスレンズＬ４はレンズＬBに対応し、正メニスカスレンズＬ５はレンズＬCに対応する。そして、レンズＬA、レンズＬCには硝材Ａが用いられ、レンズＬBには硝材Ｄが用いられている。
【０１３４】
第３レンズ群Ｇ３は、像側に凸面を向けた正メニスカスレンズＬ６で構成されており、全体で正の屈折力を有している。
【０１３５】
第４レンズ群Ｇ４は、両凹負レンズＬ７で構成されており、全体で負の屈折力を有している。
【０１３６】
広角端から望遠端へと変倍する際には、第１レンズ群Ｇ１は像側へ移動した後に物体側へ移動する。第２レンズ群Ｇ２は物体側へ移動する。第３レンズ群Ｇ３は像側へ移動する。第４レンズ群Ｇ４は固定されている。明るさ絞りＳは、第２レンズ群Ｇ２とともに移動する。
【０１３７】
非球面は、第１レンズ群Ｇ１の接合レンズの３面と、第２レンズ群Ｇ２の物体側の正メニスカスレンズＬ３の物体側の面と像側の正メニスカスレンズＬ５の両面と、第３レンズ群Ｇ３の正メニスカスレンズＬ６の像側の面と、第４レンズ群Ｇ４の両凹負レンズＬ７の物体側の面と、の８面に設けられている。
【０１３８】
次に、本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３９】
図１４は実施例７にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４０】
実施例７のズームレンズは、図１３に示すように、物体側より順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、を有している。
【０１４１】
第１レンズ群Ｇ１は、物体側より順に、両凹負レンズＬ１と物体側に凸面を向けた正メニスカスレンズＬ２と物体側に凸面を向けた負メニスカスレンズＬ３との接合レンズと、で構成されており、全体で負の屈折力を有している。
両凹負レンズＬ１はレンズＬAに対応し、正メニスカスレンズＬ２はレンズＬBに対応し、負メニスカスレンズＬ３はレンズＬCに対応する。そして、レンズＬA、レンズＬCには硝材Ａが用いられ、レンズＬBには硝材Ｄが用いられている。
【０１４２】
第２レンズ群Ｇ２は、物体側より順に、物体側に凸面を向けた正メニスカスレンズＬ４と物体側に凸面を向けた負メニスカスレンズＬ５との接合レンズと、両凸正レンズＬ６と、で構成されており、全体で正の屈折力を有している。
負メニスカスレンズＬ５と両凸正レンズＬ６との間に明るさ絞りＳが配置されている。
【０１４３】
第３レンズ群Ｇ３は、像側に凸面を向けた正メニスカスレンズＬ７で構成されており、全体で正の屈折力を有している。
【０１４４】
第４レンズ群Ｇ４は、像側に凸面を向けた正メニスカスレンズＬ８で構成されており、全体で正の屈折力を有している。
【０１４５】
広角端から望遠端へと変倍する際には、第１レンズ群Ｇ１は像側へ移動した後に物体側へ移動する。第２レンズ群Ｇ２は物体側へ移動する。第３レンズ群Ｇ３は像側へ移動する。第４レンズ群Ｇ４は固定されている。明るさ絞りＳは、第２レンズ群Ｇ２とともに移動する。
【０１４６】
非球面は、第１レンズ群Ｇ１の両凹負レンズＬ１の両面と負メニスカスレンズＬ３の像側の面と、第２レンズ群Ｇ２の正メニスカスレンズＬ４の物体側の面と負メニスカスレンズＬ５の像側の面と、第４レンズ群Ｇ４の正メニスカスレンズＬ８の物体側の面と、の６面に設けられている。
【０１４７】
次に、本発明の実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４８】
図１６は実施例８にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４９】
実施例８のズームレンズは、図１５に示すように、物体側より順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、を有している。
【０１５０】
第１レンズ群Ｇ１は、物体側より順に、両凹負レンズＬ１と物体側に凸面を向けた正メニスカスレンズＬ２と物体側に凸面を向けた正メニスカスレンズＬ３との接合レンズで構成されており、全体で負の屈折力を有している。
両凹負レンズＬ１はレンズＬAに対応し、正メニスカスレンズＬ２はレンズＬBに対応し、正メニスカスレンズＬ３はレンズＬCに対応する。そして、レンズＬA、レンズＬCには硝材Ａが用いられ、レンズＬBには硝材Ｂが用いられている。
【０１５１】
第２レンズ群Ｇ２は、物体側より順に、両凸正レンズＬ４と、物体側に凸面を向けた正メニスカスレンズＬ５と物体側に凸面を向けた負メニスカスレンズＬ６との接合レンズと、で構成されており、全体で正の屈折力を有している。
両凸正レンズＬ４と正メニスカスレンズＬ５との間に、開口絞りＳが配置されている。
【０１５２】
第３レンズ群Ｇ３は、両凹負レンズＬ７で構成されており、全体で負の屈折力を有している。
【０１５３】
第４レンズ群Ｇ４は、両凸正レンズＬ８で構成されており、全体で正の屈折力を有している。
【０１５４】
広角端から望遠端へと変倍する際には、第１レンズ群Ｇ１は像側へ移動した後に物体側へ移動する。第２レンズ群Ｇ２は物体側へ移動する。第３レンズ群Ｇ３は物体側へ移動する。第４レンズ群Ｇ４は像側へ移動する。明るさ絞りＳは、第２レンズ群Ｇ２とともに移動する。
【０１５５】
非球面は、第１レンズ群Ｇ１の両凹負レンズＬ１の両面と像側の正メニスカスレンズＬ３の像側の面と、第２レンズ群Ｇ２の両凸正レンズＬ４の両面と負メニスカスレンズＬ６の像側の面と、第４レンズ群Ｇ４の両凸正レンズＬ８の像側の面と、の７面に設けられている。
【０１５６】
次に、本発明の実施例９にかかるズームレンズについて説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５７】
図１８は実施例９にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５８】
実施例９のズームレンズは、図１７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５と、を有している。
【０１５９】
第１レンズ群Ｇ１は、物体側より順に、物体側に凸面を向けた負メニスカスレンズＬ１と両凸正レンズＬ２との接合レンズで構成されており、全体で正の屈折力を有している。
【０１６０】
第２レンズ群Ｇ２は、物体側より順に、物体側に凸面を向けた負メニスカスレンズＬ３と、両凹負レンズＬ４と物体側に凸面を向けた正メニスカスレンズＬ５と物体側に凸面を向けた負メニスカスレンズＬ６との接合レンズと、物体側に凸面を向けた正メニスカスレンズＬ７と、で構成されており、全体で負の屈折力を有している。
両凹負レンズＬ４はレンズＬAに対応し、正メニスカスレンズＬ５はレンズＬBに対応し、負メニスカスレンズＬ６はレンズＬCに対応する。そして、レンズＬA、レンズＬCには硝材Ａが用いられ、レンズＬBには硝材Ｂが用いられている。
【０１６１】
第３レンズ群Ｇ３は、物体側より順に、両凸正レンズＬ８と、物体側に凸面を向けた正メニスカスレンズＬ９と物体側に凸面を向けた負メニスカスレンズＬ１０との接合レンズと、で構成されており、全体で正の屈折力を有している。
【０１６２】
第４レンズ群Ｇ４は、物体側に凸面を向けた正メニスカスレンズＬ１１で構成されており、全体で正の屈折力を有している。
【０１６３】
第５レンズ群Ｇ５は、像側に凸面を向けた正メニスカスレンズＬ１２で構成されており、全体で正の屈折力を有している。
【０１６４】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。第４レンズ群Ｇ４は物体側へ移動した後に像側へ移動する。第５レンズ群Ｇ５は固定されている。明るさ絞りＳは、第３レンズ群Ｇ３とともに移動する。
【０１６５】
非球面は、第１レンズ群Ｇ１の両凸正レンズＬ２の像側の面と、第２レンズ群Ｇ２の両凹負レンズＬ４の両面と像側の負メニスカスレンズＬ６の像側の面と、第３レンズ群Ｇ３の両凸正レンズＬ８の両面と、第５レンズ群Ｇ５の正メニスカスレンズＬ１２の物体側の面と、の７面に設けられている。
【０１６６】
次に、本発明の実施例１０にかかるズームレンズについて説明する。図１９は本発明の実施例１０にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６７】
図２０は実施例１０にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６８】
実施例１０のズームレンズは、図１９に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、を有している。
【０１６９】
第１レンズ群Ｇ１は、物体側より順に、物体側に凸面を向けた負メニスカスレンズＬ１と両凸正レンズＬ２との接合レンズで構成されており、全体で正の屈折力を有している。
【０１７０】
第２レンズ群Ｇ２は、物体側より順に、物体側に凸面を向けた負メニスカスレンズＬ３と、両凹負レンズＬ４と物体側に凸面を向けた正メニスカスレンズＬ５との接合レンズと、物体側に凸面を向けた正メニスカスレンズＬ６と、で構成されており、全体で負の屈折力を有している。
両凹負レンズＬ４はレンズＬAに対応し、正メニスカスレンズＬ５はレンズＬBに対応する。そして、レンズＬAには硝材Ａが用いられ、レンズＬBには硝材Ｄが用いられている。
【０１７１】
第３レンズ群Ｇ３は、物体側より順に、両凸正レンズＬ７と、物体側に凸面を向けた正メニスカスレンズＬ８と物体側に凸面を向けた負メニスカスレンズＬ９との接合レンズと、で構成されており、全体で正の屈折力を有している。
【０１７２】
第４レンズ群Ｇ４は、物体側に凸面を向けた正メニスカスレンズＬ１０で構成されており、全体で正の屈折力を有している。
【０１７３】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。第４レンズ群Ｇ４は物体側へ移動した後に像側へ移動する。明るさ絞りＳは、第３レンズ群Ｇ３とともに移動する。
【０１７４】
非球面は、第１レンズ群Ｇ１の両凸正レンズＬ２の像側の面と、第２レンズ群Ｇ２の接合レンズの３面と、第３レンズ群Ｇ３の両凸正レンズＬ７の両面と、第４レンズ群Ｇ４の正メニスカスレンズＬ１０の物体側の面と、の７面に設けられている。
【０１７５】
次に、本発明の実施例１１にかかるズームレンズについて説明する。図２１は本発明の実施例１１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１７６】
図２２は実施例１１にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７７】
実施例１１のズームレンズは、図２１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５と、を有している。
【０１７８】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。
【０１７９】
第２レンズ群Ｇ２は、物体側より順に、物体側に凸面を向けた負メニスカスレンズＬ５と、両凹負レンズＬ６と物体側に凸面を向けた正メニスカスレンズＬ７と物体側に凸面を向けた負メニスカスレンズＬ８との接合レンズと、物体側に凸面を向けた正メニスカスレンズＬ９と、で構成されており、全体で負の屈折力を有している。
両凹負レンズＬ６はレンズＬAに対応し、正メニスカスレンズＬ７はレンズＬBに対応し、負メニスカスレンズＬ８はレンズＬCに対応する。そして、レンズＬA、レンズＬCには硝材Ａが用いられ、レンズＬBには硝材Ｂが用いられている。
【０１８０】
第３レンズ群Ｇ３は、物体側より順に、両凸正レンズＬ１０と、像側に凸面を向けた正メニスカスレンズＬ１１と像側に凸面を向けた負メニスカスレンズＬ１２との接合レンズと、で構成されており、全体で正の屈折力を有している。
【０１８１】
第４レンズ群Ｇ４は、物体側に凸面を向けた負メニスカスレンズＬ１３で構成されており、全体で負の屈折力を有している。
【０１８２】
第５レンズ群Ｇ５は、両凹負レンズＬ１４と両凸正レンズＬ１５との接合レンズで構成されており、全体で正の屈折力を有している。
【０１８３】
広角端から望遠端へと変倍する際には、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は固定されている。明るさ絞りＳは、固定されている。
【０１８４】
非球面は、第１レンズ群Ｇ１の両凹負レンズＬ１の両面と接合レンズの３面と、第２レンズ群Ｇ２の両凹負レンズＬ６の物体側の面と像側の負メニスカスレンズＬ８の像側の面と、第３レンズ群Ｇ３の両凸正レンズＬ１０の両面と、第５レンズ群Ｇ５の両凸正レンズＬ１５の像側の面と、の１０面に設けられている。
【０１８５】
次に、本発明の実施例１２にかかるズームレンズについて説明する。図２３は本発明の実施例１２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１８６】
図２４は実施例１２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８７】
実施例１２のズームレンズは、図２３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５と、を有している。
【０１８８】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。
【０１８９】
第２レンズ群Ｇ２は、物体側より順に、物体側に凸面を向けた負メニスカスレンズＬ５と、両凹負レンズＬ６と物体側に凸面を向けた正メニスカスレンズＬ７との接合レンズと、物体側に凸面を向けた正メニスカスレンズＬ８と、で構成されており、全体で負の屈折力を有している。
両凹負レンズＬ６はレンズＬAに対応し、正メニスカスレンズＬ７はＬBに対応する。そして、レンズＬAには硝材Ａが用いられ、レンズＬBには硝材Ｄが用いられている。
【０１９０】
第３レンズ群Ｇ３は、物体側より順に、両凸正レンズＬ９と、像側に凸面を向けた正メニスカスレンズＬ１０と像側に凸面を向けた負メニスカスレンズＬ１１との接合レンズと、で構成されており、全体で正の屈折力を有している。
【０１９１】
第４レンズ群Ｇ４は、物体側に凸面を向けた負メニスカスレンズＬ１２で構成されており、全体で負の屈折力を有している。
【０１９２】
第５レンズ群Ｇ５は、両凹負レンズＬ１３と両凸正レンズＬ１４との接合レンズで構成されており、全体で正の屈折力を有している。
【０１９３】
広角端から望遠端へと変倍する際には、第１レンズ群Ｇ１は固定されている。第２レンズ群Ｇ２は像側へ移動する。第３レンズ群Ｇ３は物体側へ移動する。第４レンズ群Ｇ４は物体側へ移動する。第５レンズ群Ｇ５は像側へ移動した後に物体側へ移動する。明るさ絞りＳは、第３レンズ群Ｇ３とともに移動する。
【０１９４】
非球面は、第１レンズ群Ｇ１の両凹負レンズＬ１の両面と接合レンズの３面と、第２レンズ群Ｇ２の接合レンズの３面と、第３レンズ群Ｇ３の両凸正レンズＬ９の両面と、第５レンズ群Ｇ５の両凸正レンズＬ１４の像側の面と、の１１面に設けられている。
【０１９５】
次に、本発明の実施例１３にかかるズームレンズについて説明する。図２５は本発明の実施例１３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１９６】
図２６は実施例１３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９７】
実施例１３のズームレンズは、図２５に示すように、物体側より順に、正の屈折力を有する第１レンズ群Ｇ１と、負の屈折力を有する第２レンズ群Ｇ２と、正の屈折力を有する第３レンズ群Ｇ３と、開口絞りＳと、正の屈折力を有する第４レンズ群Ｇ４と、負の屈折力を有する第５レンズ群Ｇ５と、を有している。
【０１９８】
第１レンズ群Ｇ１は、物体側より順に、両凹負レンズＬ１と、プリズムＬ２と、物体側に凸面を向けた負メニスカスレンズＬ３と両凸正レンズＬ４との接合レンズと、で構成されており、全体で正の屈折力を有している。
【０１９９】
第２レンズ群Ｇ２は、物体側より順に、物体側に凸面を向けた負メニスカスレンズＬ５と、像側に凸面を向けた負メニスカスレンズＬ６と像側に凸面を向けた正メニスカスレンズＬ７と像側に凸面を向けた負メニスカスレンズＬ８との接合レンズと、物体側に凸面を向けた正メニスカスレンズＬ９と、で構成されており、全体で負の屈折力を有している。
負メニスカスレンズＬ６はＬAに対応し、正メニスカスレンズＬ７はＬBに対応し、負メニスカスレンズＬ８はレンズＬCに対応する。そして、レンズＬA、レンズＬCには硝材Ａが用いられ、レンズＬBには硝材Ｄが用いられている。
【０２００】
第３レンズ群Ｇ３は、物体側より順に、両凸正レンズＬ１０で構成されており、全体で正の屈折力を有している。
【０２０１】
第４レンズ群Ｇ４は、両凹負レンズＬ１１と、両凸正レンズＬ１２と、両凸正レンズＬ１３と、で構成されており、全体で正の屈折力を有している。
【０２０２】
第５レンズ群Ｇ５は、両凹負レンズＬ１４と、両凹負レンズＬ１５と両凸正レンズＬ１６との接合レンズで構成されており、全体で負の屈折力を有している。
【０２０３】
広角端から望遠端へと変倍する際には、第１レンズ群Ｇ１は物体側へ移動する。第２レンズ群Ｇ２は像側へ移動する。第３レンズ群Ｇ３は物体側へ移動する。第４レンズ群Ｇ４は像側へ移動する。第５レンズ群Ｇ５は像側へ移動した後に物体側へ移動する。明るさ絞りＳは、固定されている。
【０２０４】
非球面は、第１レンズ群Ｇ１の両凹負レンズＬ１の両面と接合レンズの３面と、第２レンズ群Ｇ２の物体側から２番目の負メニスカスレンズＬ６の物体側の面と最も像側の負メニスカスレンズＬ８の両面と、第３レンズ群Ｇ３の両凸正レンズＬ１０の物体側の面と、第４レンズ群Ｇ４の最も像側の両凸正レンズＬ１３の像側の面と、の１０面に設けられている。
【０２０５】
次に、本発明の実施例１４にかかるズームレンズについて説明する。図２７は本発明の実施例１４にかかるズームレンズの無限遠物点合焦時の光学構成を示す光軸に沿う断面図であり、（ａ）は広角端、（ｂ）は中間焦点距離状態、（ｃ）は望遠端での断面図である。
【０２０６】
図２８は実施例１４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２０７】
実施例１４のズームレンズは、図２７に示すように、物体側より順に、正の屈折力を有する第１レンズ群Ｇ１と、負の屈折力を有する第２レンズ群Ｇ２と、正の屈折力を有する第３レンズ群Ｇ３と、開口絞りＳと、正の屈折力を有する第４レンズ群Ｇ４と、負の屈折力を有する第５レンズ群Ｇ５と、第６レンズ群Ｇ６と、を有している。
【０２０８】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。
【０２０９】
第２レンズ群Ｇ２は、物体側より順に、物体側に凸面を向けた負メニスカスレンズＬ５と、像側に凸面を向けた正メニスカスレンズＬ６と両凹負レンズＬ７との接合レンズと、物体側に凸面を向けた正メニスカスレンズＬ８と、で構成されており、全体で負の屈折力を有している。
正メニスカスレンズＬ６はレンズＬBに対応し、両凹負レンズＬ７はレンズＬAに対応する。そして、レンズＬAには硝材Ａが用いられ、レンズＬBには硝材Ｂが用いられている。
【０２１０】
第３レンズ群Ｇ３は、物体側より順に、像側に凸面を向けた正メニスカスレンズＬ９で構成されており、全体で正の屈折力を有している。
【０２１１】
第４レンズ群Ｇ４は、物体側より順に、両凸正レンズＬ１０と、両凹負レンズＬ１１と両凸正レンズＬ１２との接合レンズと、両凸正レンズ１３と、で構成されており、全体で正の屈折力を有している。
【０２１２】
第５レンズ群Ｇ５は、物体側に凸面を向けた負メニスカスレンズＬ１４で構成されており、全体で負の屈折力を有している。
【０２１３】
第６レンズ群Ｇ６は、像側に凸面を向けた正メニスカスレンズＬ１５で構成されており、全体で正の屈折力を有している。
【０２１４】
広角端から望遠端へと変倍する際には、第１レンズ群Ｇ１は物体側へ移動する。第２レンズ群Ｇ２は像側へ移動する。第３レンズ群Ｇ３は固定されている。第４レンズ群Ｇ４は物体側へ移動する。第５レンズ群Ｇ５は物体側へ移動する。第６レンズ群Ｇ６は固定されている。明るさ絞りＳは固定されている。
【０２１５】
非球面は、第１レンズ群Ｇ１の両凹負レンズＬ１の両面と接合レンズの３面と、第２レンズ群Ｇ２の接合レンズの３面と、第４レンズ群Ｇ４の最も物体側の両凸正レンズＬ１０の両面と最も像側の両凸正レンズＬ１３の両面と、の１２面に設けられている。
【０２１６】
次に、本発明の実施例１５にかかるズームレンズについて説明する。図２９は本発明の実施例１５にかかるズームレンズの無限遠物点合焦時の光学構成を示す光軸に沿う断面図であり、（ａ）は広角端、（ｂ）は中間焦点距離状態、（ｃ）は望遠端での断面図である。
【０２１７】
図３０は実施例１５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２１８】
実施例１５のズームレンズは、図２９に示すように、物体側より順に、正の屈折力を有する第１レンズ群Ｇ１と、負の屈折力を有する第２レンズ群Ｇ２と、正の屈折力を有する第３レンズ群Ｇ３と、開口絞りＳと、正の屈折力を有する第４レンズ群Ｇ４と、正の屈折力を有する第５レンズ群Ｇ５と、を有している。
【０２１９】
第１レンズ群Ｇ１は、物体側より順に、両凹負レンズＬ１と、プリズムＬ２と、物体側に凸面を向けた正メニスカスレンズＬ３と物体側に凸面を向けた負メニスカスレンズＬ４と両凸正レンズＬ５との接合レンズと、で構成されており、全体で正の屈折力を有している。
【０２２０】
第２レンズ群Ｇ２は、物体側より順に、物体側に凸面を向けた負メニスカスレンズＬ６と、両凹負レンズＬ７と物体側に凸面を向けた正メニスカスレンズＬ８と物体側に凸面を向けた負メニスカスレンズＬ９との接合レンズと、両凸正レンズＬ１０と、で構成されており、全体で負の屈折力を有している。
両凹負レンズＬ７はレンズＬAに対応し、正メニスカスレンズＬ８はレンズＬBに対応し、負メニスカスレンズＬ９はレンズＬCに対応する。そして、レンズＬA、レンズＬCには硝材Ａが用いられ、レンズＬBには硝材Ｂが用いられている。
【０２２１】
第３レンズ群Ｇ３は、物体側より順に、物体側に凸面を向けた正メニスカスレンズＬ１１で構成されており、全体で正の屈折力を有している。
【０２２２】
第４レンズ群Ｇ４は、物体側より順に、物体側に凸面を向けた正メニスカスレンズＬ１２と物体側に凸面を向けた負メニスカスレンズＬ１３と両凸正レンズＬ１４との接合レンズと、物体側に凸面を向けた負メニスカスレンズＬ１５と、で構成されており、全体で正の屈折力を有している。
【０２２３】
第５レンズ群Ｇ５は、像側に凸面を向けた正メニスカスレンズＬ１６で構成されており、全体で正の屈折力を有している。
【０２２４】
広角端から望遠端へと変倍する際には、第１レンズ群Ｇ１は固定されている。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは固定されている。
【０２２５】
非球面は、第１レンズ群Ｇ１の正メニスカスレンズＬ３の両面と、第２レンズ群Ｇ２の両凹負レンズＬ７の物体側の面と像側の負メニスカスレンズＬ９の像側の面と、第４レンズ群Ｇ４の正メニスカスレンズＬ１２の物体側の面と両凸正レンズＬ１４の像側の面と、の６面に設けられている。
【０２２６】
次に、本発明の実施例１６にかかるズームレンズについて説明する。図３１は本発明の実施例１３にかかるズームレンズの無限遠物点合焦時の光学構成を示す光軸に沿う断面図であり、（ａ）は広角端、（ｂ）は中間焦点距離状態、（ｃ）は望遠端での断面図である。
【０２２７】
図３２は実施例１６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２２８】
実施例１６のズームレンズは、図３１に示すように、物体側より順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、を有している。
【０２２９】
第１レンズ群Ｇ１は、物体側より順に、物体側に凸面を向けた負メニスカスレンズＬ１と、プリズムＬ２と、物体側に凸面を向けた負メニスカスレンズＬ３と物体側に凸面を向けた正メニスカスレンズＬ４と物体側に凸面を向けた負メニスカスレンズＬ５との接合レンズと、で構成されており、全体で負の屈折力を有している。
負メニスカスレンズＬ３はレンズＬCに対応し、正メニスカスレンズＬ４はレンズＬBに対応し、負メニスカスレンズＬ５はレンズＬAに対応する。そして、レンズＬA、レンズＬCには硝材Ａが用いられ、レンズＬBには硝材Ｄが用いられている。
【０２３０】
第２レンズ群Ｇ２は、物体側より順に、両凸正レンズＬ６と、両凸正レンズＬ７と両凹負レンズＬ８との接合レンズと、で構成されており、全体で正の屈折力を有している。
両凸正レンズＬ６と両凸正レンズＬ７との間に開口絞りＳが配置されている。
【０２３１】
第３レンズ群Ｇ３は、物体側より順に、両凹負レンズＬ９で構成されており、全体で負の屈折力を有している。
【０２３２】
第４レンズ群Ｇ４は、物体側より順に、両凸正レンズＬ１０で構成されており、全体で正の屈折力を有している。
【０２３３】
広角端から望遠端へと変倍する際には、第１レンズ群Ｇ１は固定されている。第２レンズ群Ｇ２は物体側へ移動する。第３レンズ群Ｇ３は物体側へ移動した後に像側へ移動する。第４レンズ群Ｇ４は像側へ移動した後に物体側へ移動する。明るさ絞りＳは第２レンズ群Ｇ２とともに移動する。
【０２３４】
非球面は、第１レンズ群Ｇ１の物体側から２番目の負メニスカスレンズＬ３の両面と像側の負メニスカスレンズＬ５の像側の面と、第２レンズ群Ｇ２の両凸正レンズＬ６の両面と、第４レンズ群Ｇ４の両凸正レンズＬ１０の物体側の面、の６面に設けられている。
【０２３５】
次に、本発明の実施例１７にかかるズームレンズについて説明する。図３３は本発明の実施例１７にかかるズームレンズの無限遠物点合焦時の光学構成を示す光軸に沿う断面図であり、（ａ）は広角端、（ｂ）は中間焦点距離状態、（ｃ）は望遠端での断面図である。
【０２３６】
図３４は実施例１７にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２３７】
実施例１７のズームレンズは、図３３に示すように、物体側より順に、負の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、を有している。
【０２３８】
第１レンズ群Ｇ１は、物体側より順に、物体側に凸面を向けた負メニスカスレンズＬ１と、プリズムＬ２と、で構成されており、全体で負の屈折力を有している。
【０２３９】
第２レンズ群Ｇ２は、物体側より順に、両凹負レンズＬ３と物体側に凸面を向けた正メニスカスレンズＬ４の接合レンズで構成されており、全体で負の屈折力を有している。
両凹負レンズＬ３はレンズＬAに対応し、正メニスカスレンズＬ４はレンズＬBに対応する。そして、レンズＬAには硝材Ａが用いられ、レンズＬBには硝材Ｂが用いられている。
【０２４０】
第３レンズ群Ｇ３は、物体側より順に、両凸正レンズＬ５と、物体側に凸面を向けた負メニスカスレンズＬ６と、で構成されており、全体で正の屈折力を有している。
両凸正レンズＬ５と負メニスカスレンズＬ６との間に開口絞りＳが配置されている。
【０２４１】
第４レンズ群Ｇ４は、物体側より順に、像側に凸面を向けた正メニスカスレンズＬ７で構成されており、全体で正の屈折力を有している。
【０２４２】
広角端から望遠端へと変倍する際には、第１レンズ群Ｇ１は固定されている。第２レンズ群Ｇ２は像側へ移動した後に物体側へ移動する。第３レンズ群Ｇ３は物体側へ移動する。第４レンズ群Ｇ４は像側へ移動した後に物体側へ移動する。明るさ絞りＳは第３レンズ群Ｇ３とともに移動する。
【０２４３】
非球面は、第２レンズ群Ｇ２の接合レンズの３面と、第３レンズ群Ｇ３の両凸正レンズＬ５の両面と負メニスカスレンズＬ６の両面と、第４レンズ群Ｇ４の正メニスカスレンズＬ７の像側の面と、の８面に設けられている。
【０２４４】
次に、本発明の実施例１８にかかるズームレンズについて説明する。図３５は本発明の実施例１８にかかるズームレンズの無限遠物点合焦時の光学構成を示す光軸に沿う断面図であり、（ａ）は広角端、（ｂ）は中間焦点距離状態、（ｃ）は望遠端での断面図である。
【０２４５】
図３６は実施例１８にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２４６】
実施例１８のズームレンズは、図３５に示すように、物体側より順に、負の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、を有している。
【０２４７】
第１レンズ群Ｇ１は、物体側より順に、物体側に凸面を向けた負メニスカスレンズＬ１と、プリズムＬ２と、物体側に凸面を向けた正メニスカスレンズＬ３と、で構成されており、全体で負の屈折力を有している。
【０２４８】
第２レンズ群Ｇ２は、物体側より順に、両凹負レンズＬ４と物体側に凸面を向けた正メニスカスレンズＬ５との接合レンズで構成されており、全体で負の屈折力を有している。
両凹負レンズＬ４はレンズＬAに対応し、正メニスカスレンズＬ５はレンズＬBに対応する。そして、レンズＬAには硝材Ａが用いられ、レンズＬBには硝材Ｂが用いられている。
【０２４９】
第３レンズ群Ｇ３は、物体側より順に、両凸正レンズＬ６と、物体側に凸面を向けた負メニスカスレンズＬ７と、で構成されており、全体で正の屈折力を有している。
両凸正レンズＬ６と負メニスカスレンズＬ７との間に開口絞りＳが配置されている。
【０２５０】
第４レンズ群Ｇ４は、物体側より順に、両凸正レンズＬ８で構成されており、全体で正の屈折力を有している。
【０２５１】
広角端から望遠端へと変倍する際には、第１レンズ群Ｇ１は固定されている。第２レンズ群Ｇ２は像側へ移動した後に物体側へ移動する。第３レンズ群Ｇ３は物体側へ移動する。第４レンズ群Ｇ４は像側へ移動する。明るさ絞りＳは第３レンズ群Ｇ３とともに移動する。
【０２５２】
非球面は、第２レンズ群Ｇ２の接合レンズの３面と、第３レンズ群Ｇ３の両凸正レンズＬ６の両面と負メニスカスレンズＬ７の両面と、第４レンズ群Ｇ４の両凸正レンズＬ８の像側の面と、の８面に設けられている。
【０２５３】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面、STO（絞り）は絞りをそれぞれ示している。
【０２５４】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、ｅは１０のべき乗を表している。なお、これら諸元値の記号は後述の実施例の数値データにおいても共通である。
なお、以下すべての実施例における、ズーム比（γ）、半画角、像高（ｙ１０）は、後述する条件式値対応表に掲げている。
【０２５５】
数値実施例１
単位    ｍｍ
面データ
面番号          r            d         nd        νd       ER
物面            ∞           ∞
1*          75.5728      0.6580     1.53071    55.69    4.382
2           11.1442      0.3500     1.63494    23.22    3.885
3           17.0000      0.5626     1.53071    55.69    3.855
4*           7.3557      可変       1.                  3.600
5*           4.1406      1.2000     1.85135    40.10    1.600
6*         -52.5261      0.1000     1.                  1.424
7(絞り)        ∞        0.2000     1.                  1.400
8*           5.4685      1.2000     2.10223    16.77    1.434
9*           2.4859      可変       1.                  1.200
10         7677.9947      2.1000     1.74320    49.34    2.722
11*          -7.2342      可変       1.                  4.300
12              ∞        0.3000     1.54771    62.84    3.741
13              ∞        0.5000     1.                  3.781
14              ∞        0.5000     1.51633    64.14    3.888
15              ∞        0.40032    1.                  3.957
像面            ∞
非球面データ
第１面
K=-1.0000,A2=0.0000E+00,A4=-1.8269E-03,A6=6.1109E-05,A8=-9.3256E-07,
A10=0.0000E+00
第４面
K=-1.3490,A2=0.0000E+00,A4=-2.1941E-03,A6=9.9450E-05,A8=-2.0299E-06,
A10=0.0000E+00
第５面
K=-2.0914,A2=0.0000E+00,A4=5.5990E-03,A6=-9.2419E-05,A8=1.9178E-04,
A10=0.0000E+00
第６面
K=-1.0000,A2=0.0000E+00,A4=6.3593E-03,A6=-4.5597E-04,A8=3.7058E-04,
A10=0.0000E+00
第８面
K=0.,A2=0.0000E+00,A4=-2.3424E-03,A6=0.0000E+00,A8=0.0000E+00,A10=0.0000E+00
第９面
K=-0.9339,A2=0.0000E+00,A4=-1.5504E-03,A6=1.0578E-03,A8=-2.0001E-04,
A10=0.0000E+00
第１１面
K=-5.2650,A2=0.0000E+00,A4=-7.0517E-04,A6=7.4408E-06,A8=0.0000E+00,
A10=0.0000E+00
〔硝材屈折率テーブル〕・・・ 本実施例にて使用した媒質の波長別屈折率一覧
GLA                        587.56   656.27   486.13   435.84   404.66
LPF                        1.547710 1.545046 1.553762 1.558427 1.562262
L5                         2.102230 2.084080 2.149790 2.193956 2.236910
L4                         1.851350 1.845050 1.866280 1.878368 1.888684
L2                         1.634940 1.627290 1.654640 1.672910 1.689880 
CG                         1.516330 1.513855 1.521905 1.526213 1.529768
L6                         1.743198 1.738653 1.753716 1.762046 1.769040
L1,L3                      1.530710 1.527870 1.537400 1.542740 1.547160
各種データ
広角        中間        望遠
焦点距離        6.30809     9.87135    17.68758
Ｆナンバー      3.0661      4.0008      5.7970
レンズ全長     21.8876     20.1506     22.2861
ＢＦ            0.40032     0.40051     0.40114
d4              8.78430     4.19463     0.30000
d9              2.87320     5.89577    11.90696
d11             2.15920     1.98910     2.00744
ズームレンズ群データ
群   始面   焦点距離
1     1    -16.35291
2     5      8.16705
3    10      9.72590
第1面
h           z1(h)        球面成分         Δz1(h)
2.590       -0.02126        0.04439        -0.06564
第2面
h           z2(h)        球面成分         Δz2(h)
2.590        0.30510        0.30510        -0.00000
第3面
h           z3(h)        球面成分         Δz3(h)
2.590        0.19842        0.19842         0.00000
第4面
h           z4(h)        球面成分         Δz4(h)
2.590        0.37828        0.47099        -0.09271
【０２５６】
数値実施例２
単位    ｍｍ
面データ
面番号          r            d         nd        νd       ER
物面            ∞           ∞
1*           76.9010      0.5858    1.53071    55.69    4.399
2            20.3839      0.5138    1.63494    23.22    4.033
3            60.0006      0.6455    1.53071    55.69    3.963
4*            7.1520      可変      1.                  3.600
5*            4.1460      1.2013    1.85135    40.10    1.600
6*          -50.4776      0.1014    1.                  1.428
7(絞り)        ∞         0.2000    1.                  1.400
8*            5.4649      1.2020    2.10223    16.77    1.433
9*            2.4934      可変      1.                  1.200
10          5930.4474      2.1914    1.74320    49.34    2.575
11*           -7.2699      可変      1.                  4.300
12              ∞         0.3000    1.54771    62.84    3.552
13              ∞         0.5000    1.                  3.590
14              ∞         0.5000    1.51633    64.14    3.687
15              ∞         0.39923   1.                  3.751
像面            ∞
非球面データ
第１面
K=27.3613,A2=0.0000E+00,A4=-1.8855E-03,A6=6.3461E-05,A8=-9.5403E-07,
A10=0.0000E+00
第４面
K=-0.4683,A2=0.0000E+00,A4=-2.5749E-03,A6=1.0384E-04,A8=-2.0419E-06,
A10=0.0000E+00
第５面
K=-2.0914,A2=0.0000E+00,A4=5.5990E-03,A6=-9.2419E-05,A8=1.9178E-04,
A10=0.0000E+00
第６面
K=-1.0000,A2=0.0000E+00,A4=6.3593E-03,A6=-4.5597E-04,A8=3.7058E-04,
A10=0.0000E+00
第８面
K=0.,A2=0.0000E+00,A4=-2.3424E-03,A6=0.0000E+00,A8=0.0000E+00,A10=0.0000E+00
第９面
K=-0.9339,A2=0.0000E+00,A4=-1.5504E-03,A6=1.0578E-03,A8=-2.0001E-04,
A10=0.0000E+00
第１１面
K=-5.2650,A2=0.0000E+00,A4=-7.0517E-04,A6=7.4408E-06,A8=0.0000E+00,
A10=0.0000E+00
〔硝材屈折率テーブル〕・・・ 本実施例にて使用した媒質の波長別屈折率一覧
GLA                     587.56   656.27   486.13   435.84   404.66
LPF                     1.547710 1.545046 1.553762 1.558427 1.562262
L5                      2.102230 2.084080 2.149790 2.193956 2.236910
L4                      1.851350 1.845050 1.866280 1.878368 1.888684
L2                      1.634940 1.627290 1.654640 1.672910 1.689880
CG                      1.516330 1.513855 1.521905 1.526213 1.529768
L6                      1.743198 1.738653 1.753716 1.762046 1.769040
L1,L3                   1.530710 1.527870 1.537400 1.542740 1.547160
各種データ
広角        中間        望遠
焦点距離        6.30789     9.87140    17.69203
Ｆナンバー      3.0783      4.0254      5.8110
レンズ全長     21.8567     20.6643     22.8618
ＢＦ            0.39923     0.40983     0.39987
d4              8.52548     4.39410     0.30000
d9              2.79523     6.09082    11.99939
d11             2.19549     1.82835     2.22126
ズームレンズ群データ
群   始面   焦点距離
1     1    -15.83975
2     5      8.06697
3    10      9.77153
第4面
h           z1(h)        球面成分         Δz1(h) 
2.591        0.38891        0.48564        -0.09672
第3面
h           z2(h)        球面成分         Δz2(h) 
2.591        0.05595        0.05595         0.00000
第2面
h           z3(h)        球面成分         Δz3(h) 
2.591        0.16528        0.16528         0.00000
第1面
h           z4(h)        球面成分         Δz4(h) 
2.591       -0.02368        0.04364        -0.06732
【０２５７】
数値実施例３
単位    ｍｍ
面データ
面番号          r            d         nd        νd       ER
物面            ∞           ∞
1*          -9.3125      0.8000     1.53071    55.69    5.376
2*         -81.6191      0.8000     1.63387    23.38    4.865
3          -13.3905      0.8000     1.53071    55.69    4.825
4*          39.3694      可変       1.                  3.900
5*           2.5006      1.1000     1.53071    55.69    1.700
6            4.5492      0.1500     1.63387    23.38    1.515
7*           2.5784      0.7000     1.                  1.434
8(絞り)        ∞        0.1000     1.                  1.437
9*           4.9712      1.0000     1.53071    55.69    1.475
10          102.6530      可変       1.                  1.500
11           -8.5328      1.2000     1.53071    55.69    1.706
12*          -4.3793      可変       1.                  1.977
13*          -6.6156      0.6000     1.53071    55.69    3.142
14         2109.3853      0.3000     1.                  3.436
15              ∞        0.5000     1.51633    64.14    3.553
16              ∞        0.33456    1.                  3.677
像面            ∞
非球面データ
第１面
K=0.,A2=0.0000E+00,A4=1.3740E-03,A6=-7.1504E-06,A8=2.6514E-08,A10=0.0000E+00
第２面
K=0.,A2=0.0000E+00,A4=2.9661E-04,A6=-2.4559E-05,A8=2.8487E-07,A10=0.0000E+00
第４面
K=0.,A2=0.0000E+00,A4=8.9788E-04,A6=1.9516E-05,A8=9.0737E-07,A10=0.0000E+00
第５面
K=-1.9133,A2=0.0000E+00,A4=1.3419E-02,A6=-1.0578E-03,A8=3.6990E-04,
A10=0.0000E+00
第７面
K=0.,A2=0.0000E+00,A4=-7.9343E-04,A6=-2.5815E-03,A8=1.2054E-03,A10=0.0000E+00
第９面
K=-0.5997,A2=0.0000E+00,A4=-2.4657E-03,A6=-1.2729E-03,A8=4.2326E-04,
A10=0.0000E+00
第１２面
K=-0.9686,A2=0.0000E+00,A4=1.2715E-03,A6=0.0000E+00,A8=0.0000E+00,A10=0.0000E+00
第１３面
K=0.,A2=0.0000E+00,A4=2.0349E-03,A6=0.0000E+00,A8=0.0000E+00,A10=0.0000E+00
〔硝材屈折率テーブル〕・・・ 本実施例にて使用した媒質の波長別屈折率一覧
GLA                    587.56   656.27   486.13   435.83   404.66
L2,L5                  1.633870 1.626381 1.653490 1.671610 1.688826
L1,L3,L4,L6,L7,L8      1.530710 1.527870 1.537400 1.542740 1.547272
CG                     1.516330 1.513855 1.521905 1.526214 1.529768
各種データ
広角        中間        望遠
焦点距離        5.98001     10.16983   17.29834
Ｆナンバー      2.9633       4.2336     5.9700
レンズ全長     23.0439      23.1930    23.5014
ＢＦ            0.33456      0.33753    0.33386
d4              8.47397      4.20275    0.38726
d10             0.80166      7.59953   13.53954
d12             5.38367      3.00315    1.19075
ズームレンズ群データ
群   始面   焦点距離
1     1    -15.44232
2     5      9.06190
3    11     15.40859
4    13    -12.42546
第4面
h           z1(h)        球面成分         Δz1(h)
2.844        0.17581        0.10286         0.07295
第3面
h           z2(h)        球面成分         Δz2(h) 
2.844       -0.30550       -0.30550        -0.00000
第2面
h           z3(h)        球面成分         Δz3(h) 
2.844       -0.04194       -0.04956         0.00763
第1面
h           z4(h)        球面成分         Δz4(h) 
2.844       -0.35868       -0.44490         0.08622
【０２５８】
数値実施例４
単位    ｍｍ
面データ
面番号          r            d         nd        νd       ER
物面            ∞            ∞
1*         -10.1661      0.8000     1.53071    55.69    5.768
2*           8.6390      0.7000     1.76290    15.80    4.497
3           18.2042      0.8000     1.53071    55.69    4.480
4*           9.6743      可変       1.                  3.813
5*           3.2475      1.2000     1.53071    55.69    1.500
6           67.6695      0.1500     1.63387    23.38    1.396
7*           3.9299      1.1873     1.                  1.363
8(絞り)        ∞        0.6000     1.                  1.416
9*          10.0527      1.0000     1.74320    49.34    1.455
10          -14.2047      可変       1.                  1.500
11           -8.5167      1.2000     1.53071    55.69    1.692
12*          -4.5545      可変       1.                  1.957
13*          -7.2248      0.6000     1.53071    55.69    3.050
14         4842.0193      0.3000     1.                  3.391
15              ∞        0.5000     1.51633    64.14    3.525
16              ∞        0.39127    1.                  3.665
像面            ∞
非球面データ
第１面
K=0.,A2=0.0000E+00,A4=1.3490E-03,A6=-1.2086E-05,A8=6.4769E-08,A10=0.0000E+00
第２面
K=0.,A2=0.0000E+00,A4=1.5919E-05,A6=-5.4715E-06,A8=0.0000E+00,A10=0.0000E+00
第４面
K=0.,A2=0.0000E+00,A4=1.4657E-04,A6=7.1237E-05,A8=1.4782E-07,A10=0.0000E+00
第５面
K=-2.0128,A2=0.0000E+00,A4=2.0186E-03,A6=-5.4178E-05,A8=-3.6814E-05,
A10=0.0000E+00
第７面
K=0.,A2=0.0000E+00,A4=-4.0422E-03,A6=1.5411E-04,A8=-1.0696E-04,A10=0.0000E+00
第９面
K=-0.5955,A2=0.0000E+00,A4=-8.0070E-04,A6=-4.3732E-05,A8=1.1379E-05,
A10=0.0000E+00
第１２面
K=-1.0857,A2=0.0000E+00,A4=7.8164E-04,A6=0.0000E+00,A8=0.0000E+00,A10=0.0000E+00
第１３面
K=0.,A2=0.0000E+00,A4=5.0292E-04,A6=0.0000E+00,A8=0.0000E+00,A10=0.0000E+00
〔硝材屈折率テーブル〕・・・ 本実施例にて使用した媒質の波長別屈折率一覧
GLA                587.56   656.27   486.13   435.83   404.66
L5                 1.633870 1.626381 1.653490 1.671610 1.688826
L2                 1.762905 1.750038 1.798323 1.832460 1.866689
L1,L3,L4,L7,L8     1.530710 1.527870 1.537400 1.542740 1.547272
CG                 1.516330 1.513855 1.521905 1.526214 1.529768
L6                 1.743198 1.738653 1.753716 1.762047 1.769040
各種データ
広角        中間        望遠
焦点距離        4.99999     8.66004    14.99997
Ｆナンバー      2.9000      4.0526      5.9379
レンズ全長     22.2501     22.8952     25.0715
ＢＦ            0.39127     0.39030     0.39137
d4              6.68883     2.86329     0.39997
d10             0.70196     7.02430    14.17110
d12             5.43069     3.57999     1.07174
ズームレンズ群データ
群   始面   焦点距離
1     1    -10.43888 
2     5      7.92769    
3    11     16.69346  
4    13    -13.59260 
第1面
h           z1(h)        球面成分         Δz1(h) 
3.518       -0.44284       -0.62804         0.18520
第2面
h           z2(h)        球面成分         Δz2(h)
3.518        0.74073        0.74866        -0.00793
第3面
h           z3(h)        球面成分         Δz3(h)
3.518        0.34312        0.34312        -0.00000
第4面
h           z4(h)        球面成分         Δz4(h)
3.518        0.82316        0.66225         0.16091
【０２５９】
数値実施例５
単位    ｍｍ
面データ
面番号          r            d         nd        νd       ER
物面            ∞            ∞
1*         -25.0151      0.4000     1.53071    55.69    3.118
2*           3.9483      0.5000     1.63387    23.38    2.557
3*           5.6397      可変       1.                  2.500
4(絞り)        ∞       -0.2000     1.                  0.923
5*           1.9153      1.0000     1.53071    55.69    0.925
6           10.0969      0.1000     1.63387    23.38    0.815
7*           2.9847      0.5000     1.53071    55.69    0.796
8*           6.2567      可変       1.                  0.760
9          -21.0886      1.1000     1.53071    55.69    1.028
10*          -2.5941      可変       1.                  1.266
11*          -2.8381      0.4000     1.53071    55.69    1.602
12         1205.8829      可変       1.                  1.862
13              ∞        0.4000     1.51633    64.14    1.963
14              ∞        0.31809    1.                  2.089
像面            ∞
非球面データ
第１面
K=0.,A2=0.0000E+00,A4=-2.8846E-03,A6=2.2647E-04,A8=2.3414E-06,A10=-3.9356E-07
第２面
K=0.,A2=0.0000E+00,A4=-4.8072E-03,A6=3.0333E-04,A8=0.0000E+00,A10=0.0000E+00
第３面
K=0.,A2=0.0000E+00,A4=-6.5726E-03,A6=5.1667E-04,A8=5.6274E-06,A10=0.0000E+00
第５面
K=-1.6030,A2=0.0000E+00,A4=3.0923E-02,A6=1.6127E-03,A8=0.0000E+00,A10=0.0000E+00
第７面
K=-0.4060,A2=0.0000E+00,A4=-5.6100E-02,A6=1.5153E-01,A8=-1.1741E-01,
A10=0.0000E+00
第８面
K=0.4850,A2=0.0000E+00,A4=5.7320E-02,A6=-2.8906E-02,A8=3.1993E-02,A10=0.0000E+00
第１０面
K=-4.1496,A2=0.0000E+00,A4=-1.6040E-02,A6=2.0570E-03,A8=-1.3561E-04,
A10=0.0000E+00
第１１面
K=-1.4067
〔硝材屈折率テーブル〕・・・ 本実施例にて使用した媒質の波長別屈折率一覧
GLA                    587.56   656.27   486.13   435.83   404.66
L2,L4                  1.633870 1.626381 1.653490 1.671610 1.688826
L1,L3,L5,L6,L7         1.530710 1.527870 1.537400 1.542740 1.547272
CG                     1.516330 1.513855 1.521905 1.526214 1.529768
各種データ
広角        中間        望遠
焦点距離        3.20240     5.52859     9.60234
Ｆナンバー      2.8000      3.7887      5.5747
レンズ全長     12.9986     12.0120     13.0001
ＢＦ            0.31809     0.31802     0.31820
d3              5.75860     2.49827     0.66791
d8              0.70762     3.32057     6.80144
d10             1.81426     1.47518     0.81259
d12             0.20000     0.20000     0.20000
ズームレンズ群データ
群   始面   焦点距離
1     1     -9.27753
2     4      5.07862
3     9      5.46088
4    11     -5.33452
第1面
h           z1(h)        球面成分         Δz1(h)
1.885       -0.09727       -0.07115        -0.02612
第2面
h           z2(h)        球面成分         Δz2(h)
1.885        0.43208        0.47919        -0.04711
第3面
h           z3(h)        球面成分         Δz3(h)
1.885        0.26552        0.32445        -0.05894
【０２６０】
数値実施例６
単位    ｍｍ
面データ
面番号          r            d         nd        νd       ER
物面            ∞            ∞
1*          -9.9751      0.5000     1.53071    55.69    2.849
2*           6.5289      0.2500     1.76290    15.80    2.347
3*           8.2211      可変       1.                  2.300
4(絞り)        ∞       -0.2158     1.                  0.909
5*           1.8751      1.0000     1.53071    55.69    0.910
6           10.1366      0.1000     1.76290    15.80    0.800
7*           4.8643      0.5000     1.53071    55.69    0.785
8*           6.7020      可変       1.                  0.750
9          -17.4168      0.9000     1.53071    55.69    1.022
10*          -2.4719      可変       1.                  1.213
11*          -2.4149      0.4000     1.53071    55.69    1.542
12         1263.6385      可変       1.                  1.833
13              ∞        0.4000     1.51633    64.14    1.943
14              ∞        0.31705    1.                  2.078
像面            ∞
非球面データ
第１面
K=3.9252,A2=0.0000E+00,A4=4.8716E-04,A6=2.6521E-04,A8=-7.1478E-06,A10=0.0000E+00
第２面
K=-0.2103,A2=0.0000E+00,A4=5.0020E-03,A6=-2.4714E-03,A8=3.4076E-04,
A10=0.0000E+00
第３面
K=-0.0579,A2=0.0000E+00,A4=-1.0930E-03,A6=-2.9466E-04,A8=1.1953E-04,
A10=0.0000E+00
第５面
K=-1.8881,A2=0.0000E+00,A4=3.7799E-02,A6=1.8373E-03,A8=0.0000E+00,A10=0.0000E+00
第７面
K=-0.3998,A2=0.0000E+00,A4=-6.0162E-03,A6=2.8044E-02,A8=-2.4492E-02,
A10=0.0000E+00
第８面
K=2.1715,A2=0.0000E+00,A4=4.9777E-02,A6=-7.5507E-04,A8=1.1901E-02,A10=0.0000E+00
第１０面
K=-4.7623,A2=0.0000E+00,A4=-2.2119E-02,A6=3.2295E-03,A8=-2.3192E-04,
A10=0.0000E+00
第１１面
K=-1.4721
〔硝材屈折率テーブル〕・・・ 本実施例にて使用した媒質の波長別屈折率一覧
GLA                 587.56   656.27   486.13   435.83   404.66
L2,L4               1.762905 1.750038 1.798323 1.832460 1.866689
L1,L3,L5,L6,L7      1.530710 1.527870 1.537400 1.542740 1.547272
CG                  1.516330 1.513855 1.521905 1.526214 1.529768
各種データ
広角        中間        望遠
焦点距離        3.20257     5.53312     9.59604
Ｆナンバー      2.8000      3.7911      5.5507
レンズ全長     11.9999     11.0552     11.9764
ＢＦ            0.31705     0.32127     0.31970
d3              5.19993     2.09160     0.31355
d8              0.70568     3.19740     6.50579
d10             1.74309     1.41071     0.80321
d12             0.20000     0.20000     0.20000
ズームレンズ群データ
群   始面   焦点距離
1     1     -8.95605
2     4      4.82523
3     9      5.31715
4    11     -4.54117
第1面
h           z1(h)        球面成分         Δz1(h)
1.883       -0.16948       -0.17934         0.00986
第2面
h           z2(h)        球面成分         Δz2(h)
1.883        0.28273        0.27743         0.00529
第3面
h           z3(h)        球面成分         Δz3(h)
1.883        0.21039        0.21855        -0.00816
【０２６１】
数値実施例７
単位    ｍｍ
面データ
面番号          r            d         nd        νd       ER
物面            ∞            ∞
1*         -18.9513       0.8000     1.53071    55.69    5.199
2*           9.9720       0.7000     1.76290    15.80    4.446
3           20.3506       0.8000     1.53071    55.69    4.385
4*           9.2279       可変       1.                  3.999
5*           2.4445       1.2000     1.74320    49.34    1.700
6            3.4222       0.1500     1.76290    15.80    1.399
7*           1.8664       0.6000     1.                  1.300
8(絞り)        ∞         0.2000     1.                  1.315
9            6.3242       1.0000     2.00330    28.27    1.372
10         -141.9999       可変       1.                  1.400
11           -8.2165       1.2000     1.74320    49.34    1.521
12           -5.8953       可変       1.                  1.802
13*          -8.4360       0.6000     1.53071    55.69    3.020
14           -6.6299       0.3000     1.                  3.253
15              ∞         0.5000     1.51633    64.14    3.586
16              ∞         0.47867    1.                  3.679
像面            ∞
非球面データ
第１面
K=0.,A2=0.0000E+00,A4=-3.2514E-05,A6=3.6095E-06,A8=0.0000E+00,A10=0.0000E+00
第２面
K=0.,A2=0.0000E+00,A4=-4.3475E-04,A6=1.5498E-05,A8=0.0000E+00,A10=0.0000E+00
第４面
K=0.,A2=0.0000E+00,A4=-1.1455E-03,A6=4.2262E-05,A8=0.0000E+00,A10=0.0000E+00
第５面
K=-2.6186,A2=0.0000E+00,A4=1.5819E-02,A6=-1.5794E-03,A8=9.3004E-05,
A10=0.0000E+00
第７面
K=0.,A2=0.0000E+00,A4=-1.4635E-02,A6=-1.2864E-03,A8=-1.5850E-03,A10=0.0000E+00
第１３面
K=0.,A2=0.0000E+00,A4=-5.9435E-03,A6=3.3217E-04,A8=-9.3556E-06,A10=0.0000E+00
〔硝材屈折率テーブル〕・・・ 本実施例にて使用した媒質の波長別屈折率一覧
GLA                 587.56   656.27   486.13   435.83   404.66
L2,L5               1.762905 1.750038 1.798323 1.832460 1.866689
L1,L3,L8            1.530710 1.527870 1.537400 1.542740 1.547272
CG                  1.516330 1.513855 1.521905 1.526214 1.529768
L6                  2.003300 1.993011 2.028497 2.049716 2.068441
L4,L7               1.743198 1.738653 1.753716 1.762047 1.769040
各種データ
広角        中間        望遠
焦点距離        5.98015     10.17008   17.29991
Ｆナンバー      3.0714       4.0188     5.9700
レンズ全長     23.0009      21.3108    23.8096
ＢＦ            0.47867      0.47827    0.46577
d4              7.95358      2.65507    0.39720
d10             0.50682      4.63038   13.39461
d12             6.01180      5.49708    1.50202
ズームレンズ群データ
群   始面   焦点距離
1     1    -13.34966
2     5      8.13762
3    11     23.00727
4    13     52.32499
第1面
h           z1(h)        球面成分         Δz1(h)
2.844       -0.21483       -0.21461        -0.00022
第2面
h           z2(h)        球面成分         Δz2(h)
2.844        0.39391        0.41415        -0.02024
第3面
h           z3(h)        球面成分         Δz3(h)
2.844        0.19970        0.19970         0.00000
第4面
h           z4(h)        球面成分         Δz4(h)
2.844        0.39661        0.44919        -0.05258
【０２６２】
数値実施例８
単位    ｍｍ
面データ
面番号          r            d         nd        νd       ER
物面            ∞            ∞
1*         -10.4558      0.7000     1.53071    55.69    4.607
2*          11.2219      0.4000     1.63387    23.38    3.959
3           23.9770      0.6000     1.53071    55.69    3.924
4*          33.0045      可変       1.                  3.700
5*           6.2860      1.7000     1.85135    40.10    1.997
6*         -36.2083      0.3000     1.                  1.766
7(絞り)        ∞        0.2000     1.                  1.552
8            5.3791      0.8000     1.77250    49.60    1.465
9           19.3338      0.1000     1.63387    23.38    1.359
10*           2.9288      可変       1.                  1.300
11          -32.2264      0.7000     1.53071    55.69    1.664
12           18.6991      可変       1.                  1.908
13           17.6682      2.8000     1.74320    49.34    2.271
14*         -12.9541      可変       1.                  2.790
15              ∞        0.5000     1.51633    64.14    3.625
16              ∞        0.50083    1.                  3.690
像面            ∞
非球面データ
第１面
K=0.,A2=0.0000E+00,A4=9.6773E-04,A6=-8.1145E-07,A8=-7.0577E-08,A10=0.0000E+00
第２面
K=0.,A2=0.0000E+00,A4=-4.3088E-04,A6=0.0000E+00,A8=0.0000E+00,A10=0.0000E+00
第４面
K=0.,A2=0.0000E+00,A4=6.9286E-04,A6=1.9123E-05,A8=8.5575E-08,A10=0.0000E+00
第５面
K=0.,A2=0.0000E+00,A4=-3.2380E-03,A6=-3.2052E-04,A8=-5.8883E-06,A10=0.0000E+00
第６面
K=0.,A2=0.0000E+00,A4=-5.5496E-03,A6=-1.2888E-05,A8=3.0670E-06,A10=0.0000E+00
第１０面
K=0.,A2=0.0000E+00,A4=5.9801E-03,A6=-6.1655E-04,A8=0.0000E+00,A10=0.0000E+00
第１４面
K=0.,A2=0.0000E+00,A4=-5.4142E-04,A6=1.0651E-05,A8=0.0000E+00,A10=0.0000E+00
〔硝材屈折率テーブル〕・・・ 本実施例にて使用した媒質の波長別屈折率一覧
GLA                    587.56   656.27   486.13   435.84   404.66
L1,L3,L7               1.530710 1.527870 1.537400 1.542740 1.547272
L4                     1.851350 1.845050 1.866280 1.878368 1.888684
L2,L6                  1.633870 1.626381 1.653490 1.671610 1.688826
CG                     1.516330 1.513855 1.521905 1.526213 1.529768
L5                     1.772499 1.767798 1.783374 1.791971 1.799174
L8                     1.743198 1.738653 1.753716 1.762046 1.769040
各種データ
広角        中間        望遠
焦点距離        6.41661    10.74094    18.47266
Ｆナンバー      2.9791      4.1204      5.9700
レンズ全長     23.2396     22.3953     23.1987
ＢＦ            0.50083     0.51071     0.66660
d4              8.28392     3.70662     0.30000
d10             1.20000     3.76658     6.63530
d12             0.60000     2.99906     5.53816
d14             3.85489     2.61230     1.25861
ズームレンズ群データ
群   始面   焦点距離
1     1    -15.94850
2     5      8.12670
3    11    -22.19088
4    13     10.46466
第1面
h           z1(h)        球面成分         Δz1(h)
2.624       -0.28926       -0.33474         0.04549
第2面
h           z2(h)        球面成分         Δz2(h)
2.624        0.29077        0.31121        -0.02044
第3面
h           z3(h)        球面成分         Δz3(h)
2.624        0.14407        0.14407         0.00000
第4面
h           z4(h)        球面成分         Δz4(h)
2.624        0.14383        0.10451         0.03931
【０２６３】
数値実施例９
単位    ｍｍ
面データ
面番号          r            d         nd        νd       ER
物面            ∞            ∞
1           16.0356      0.8000     1.94595    17.98    8.147
2           12.6897      3.2000     1.62263    58.16    7.433
3*        -250.1962      可変       1.                  6.900
4          136.5974      0.7500     1.88300    40.76    5.359
5            5.0272      2.4000     1.                  3.817
6*         -48.0566      0.6000     1.53071    55.69    3.671
7*           4.5057      0.6000     1.63387    23.38    3.425
8           10.0000      0.6000     1.53071    55.69    3.411
9*           8.9701      0.1000     1.                  3.329
10            8.1257      1.3931     1.80810    22.76    3.318
11           15.9797      可変       1.                  3.100
12(絞り)        ∞       -0.3000     1.                  2.377
13*           4.6836      1.6000     1.58313    59.38    2.454
14*         -12.8138      0.1000     1.                  2.403
15            4.6438      1.2500     1.69680    55.53    2.243
16           10.2789      0.3000     2.00069    25.46    1.990
17            3.0745      可変       1.                  1.800
18           12.5595      1.4000     1.69680    55.53    3.388
19           33.4445      可変       1.                  3.436
20*        -506.3573      1.5000     1.53071    55.69    3.672
21          -17.2681      0.5000     1.                  3.770
22              ∞        0.5000     1.51633    64.14    3.786
23              ∞        0.5565     1.                  3.791
像面            ∞
非球面データ
第３面
K=0.,A2=0.0000E+00,A4=1.1969E-05,A6=2.0606E-07,A8=-5.2198E-09,A10=3.9225E-11
第６面
K=143.8251,A2=0.0000E+00,A4=2.0897E-04,A6=8.2434E-06,A8=-1.8399E-06,
A10=1.0612E-07
第７面
K=0.,A2=0.0000E+00,A4=-3.4226E-03,A6=0.0000E+00,A8=0.0000E+00,A10=0.0000E+00
第９面
K=-17.2097,A2=0.0000E+00,A4=2.1402E-03,A6=-1.6869E-04,A8=8.8842E-06,
A10=-2.1293E-07
第１３面
K=-0.0886,A2=0.0000E+00,A4=-1.0826E-03,A6=2.5310E-05,A8=-9.8053E-06,
A10=6.5783E-07
第１４面
K=-15.2991,A2=0.0000E+00,A4=-2.1691E-04,A6=5.9357E-05,A8=-1.2317E-05,
A10=1.0601E-06
第２０面
K=0.,A2=0.0000E+00,A4=-1.2881E-03,A6=1.4919E-04,A8=-5.8995E-06,A10=9.3440E-08
〔硝材屈折率テーブル〕・・・ 本実施例にて使用した媒質の波長別屈折率一覧
GLA              587.56   656.27   486.13   435.84   404.66
L4,L6,L12        1.530710 1.527870 1.537400 1.542740 1.547272
L1               1.945950 1.931230 1.983830 2.018247 2.051060
L2               1.622630 1.619350 1.630050 1.635825 1.640604
L5               1.633870 1.626381 1.653490 1.671610 1.688826
L8               1.583126 1.580139 1.589960 1.595296 1.599721
CG               1.516330 1.513855 1.521905 1.526213 1.529768
L3               1.882997 1.876560 1.898221 1.910495 1.920919
L9,L11           1.696797 1.692974 1.705522 1.712339 1.718005
L7               1.808095 1.798009 1.833513 1.855902 1.876580
L10              2.000690 1.989410 2.028720 2.052828 2.074600
各種データ
広角        中間        望遠
焦点距離        5.02526    14.48273    47.89662
Ｆナンバー      2.9056      3.9846      5.9500
レンズ全長     36.5800     41.3049     52.9479
ＢＦ            0.05651     0.05502     0.05522
d3              0.24780     6.73631    12.97844
d11            11.11782     4.32090     0.70000
d17             5.56475     6.02679    18.97111
d19             1.80000     6.37278     2.45000
ズームレンズ群データ
群   始面   焦点距離
1     1     27.47987
2     4     -5.39843
3    12      8.45576
4    18     28.09075
5    20     33.65079
第6面
h           z1(h)        球面成分         Δz1(h)
2.857       -0.08593       -0.08502        -0.00091
第7面
h           z2(h)        球面成分         Δz2(h)
2.857        0.79377        1.02194        -0.22816
第8面
h           z3(h)        球面成分         Δz3(h)
2.857        0.41693        0.41693        -0.00000
第9面
h           z4(h)        球面成分         Δz4(h)
2.857        0.42919        0.46728        -0.03809
【０２６４】
数値実施例１０
単位    ｍｍ
面データ
面番号          r            d         nd        νd       ER
物面            ∞            ∞
1           15.7795      0.8000     1.94595    17.98    7.875
2           12.8835      3.2000     1.62263    58.16    7.225
3*        -585.5536      可変       1.                  7.000
4           45.4526      0.7000     2.00330    28.27    4.996
5            5.1171      2.2000     1.                  3.693
6*         -21.0369      0.7000     1.53071    55.69    3.625
7*           6.4036      0.7000     1.76290    15.80    3.461
8*          14.2269      0.1000     1.                  3.429
9           10.4388      1.1000     1.94595    17.98    3.388
10           17.2045      可変       1.                  3.200
11(絞り)        ∞       -0.3000     1.                  2.247
12*           4.7690      1.6000     1.58313    59.38    2.314
13*         -13.4620      0.1000     1.                  2.300
14            4.5093      1.2500     1.69680    55.53    2.274
15           12.8902      0.3000     2.00069    25.46    2.076
16            3.1309      可変       1.                  1.895
17*           9.8739      1.8284     1.53071    55.69    3.410
18         5201.2141      可変       1.                  3.476
19              ∞        0.3000     1.51633    64.14    3.710
20              ∞        0.5000     1.                  3.726
21              ∞        0.5000     1.51633    64.14    3.768
22              ∞        0.5000     1.                  3.796
23              ∞        0.05089    1.                  3.837
像面            ∞
非球面データ
第３面
K=0.,A2=0.0000E+00,A4=1.3697E-05,A6=1.2645E-07,A8=-3.5001E-09,A10=2.7456E-11
第６面
K=0.,A2=0.0000E+00,A4=-1.7319E-04,A6=-5.0357E-05,A8=1.5493E-06,A10=-4.0112E-08
第７面
K=0.,A2=0.0000E+00,A4=-1.4346E-03,A6=-1.0891E-04,A8=7.1179E-06,A10=0.0000E+00
第８面
K=0.,A2=0.0000E+00,A4=-6.3685E-04,A6=-2.6576E-05,A8=5.5023E-07,A10=7.3715E-08
第１２面
K=-0.0880,A2=0.0000E+00,A4=-8.4687E-04,A6=1.0696E-05,A8=-9.7260E-06,
A10=1.6721E-06
第１３面
K=-15.2988,A2=0.0000E+00,A4=1.7020E-05,A6=2.8245E-05,A8=-8.9484E-06,
A10=2.0472E-06
第１７面
K=0.,A2=0.0000E+00,A4=-1.4669E-04,A6=1.6635E-05,A8=-3.7257E-07,A10=3.3527E-09
〔硝材屈折率テーブル〕・・・ 本実施例にて使用した媒質の波長別屈折率一覧
GLA                 587.56   656.27   486.13   435.84   404.66
L5                  1.762905 1.750038 1.798323 1.832460 1.866689
L4,L10              1.530710 1.527870 1.537400 1.542740 1.547272
L1,L6               1.945950 1.931230 1.983830 2.018247 2.051060
L2                  1.622630 1.619350 1.630050 1.635825 1.640604
L7                  1.583126 1.580139 1.589960 1.595296 1.599721
CG                  1.516330 1.513855 1.521905 1.526213 1.529768
L3                  2.003300 1.993011 2.028497 2.049714 2.068441
L8                  1.696797 1.692974 1.705522 1.712339 1.718005
L9                  2.000690 1.989410 2.028720 2.052828 2.074600
各種データ
広角        中間        望遠
焦点距離        5.10035    14.61391    47.87790
Ｆナンバー      2.9728      3.9051      5.9700
レンズ全長     34.6995     38.9869     52.4773
ＢＦ            0.05089     0.04920     0.04533
d3              0.24780     6.93566    13.13911
d10            10.66256     3.74260     0.70000
d16             4.85984     5.00342    19.01440
d18             2.80000     7.17758     3.50000
ズームレンズ群データ
群   始面   焦点距離
1     1     27.44708
2     4     -5.44920
3    11      8.53294
4    17     18.63810
第6面
h           z1(h)        球面成分         Δz1(h)
2.797       -0.21681       -0.18674        -0.03007
第7面
h           z2(h)        球面成分         Δz2(h)
2.797        0.52978        0.64304        -0.11326
第8面
h           z3(h)        球面成分         Δz3(h)
2.797        0.23015        0.27761        -0.04747
【０２６５】
数値実施例１１
単位    ｍｍ
面データ
面番号          r            d         nd        νd       ER
物面            ∞            ∞
1*         -22.1944      1.0000     2.00170    20.60    7.283
2*          30.1506      1.0000     1.                  6.734
3              ∞        9.0000     1.90366    31.32    6.708
4              ∞        0.2000     1.                  6.099
5*          10.4563      0.1000     1.63387    23.38    5.879
6*          11.1149      3.5000     1.74320    49.34    5.821
7*         -21.3225      可変       1.                  6.000
8           19.9641      0.5000     2.00330    28.27    4.071
9            4.6989      1.9000     1.                  3.337
10*         -80.1654      0.6000     1.53071    55.69    3.312
11           16.0000      0.3000     1.63387    23.38    3.343
12           35.0000      0.6000     1.53071    55.69    3.345
13*          11.7896      0.1500     1.                  3.358
14           11.5579      1.3000     1.94595    17.98    3.386
15          737.4996      可変       1.                  3.300
16(絞り)        ∞        可変       1.                  2.023
17*           9.9802      1.8000     1.80610    40.92    3.000
18*         -10.6253      0.1500     1.                  3.017
19          -25.7168      1.6000     1.74320    49.34    2.946
20           -8.2482      0.5000     1.94595    17.98    2.880
21          -42.6823      可変       1.                  2.873
22           10.5251      0.6000     1.77250    49.60    2.529
23            4.2364      可変       1.                  2.374
24         -194.2147      0.5000     1.94595    17.98    2.720
25            7.9651      3.7000     1.58313    59.38    2.874
26*          -6.0732      1.8074     1.                  3.485
27              ∞        0.8000     1.51633    64.14    3.756
28              ∞        0.40047    1.                  3.806
像面            ∞
非球面データ
第１面
K=2.9046,A2=0.0000E+00,A4=1.4575E-04,A6=0.0000E+00,A8=0.0000E+00,A10=0.0000E+00
第２面
K=-38.3411,A2=0.0000E+00,A4=1.1502E-04,A6=0.0000E+00,A8=0.0000E+00,
A10=0.0000E+00
第５面
K=0.,A2=0.0000E+00,A4=-2.5377E-04,A6=3.5149E-07,A8=-1.2262E-08,A10=0.0000E+00
第６面
K=0.,A2=0.0000E+00,A4=-1.8457E-05,A6=3.5714E-07,A8=-5.1032E-09,A10=0.0000E+00
第７面
K=0.,A2=0.0000E+00,A4=8.8331E-05,A6=-7.3589E-07,A8=3.0586E-09,A10=0.0000E+00
第１０面
K=0.,A2=0.0000E+00,A4=-1.5509E-03,A6=1.6407E-06,A8=4.3556E-07,A10=0.0000E+00
第１３面
K=0.,A2=0.0000E+00,A4=-1.8159E-03,A6=2.7135E-05,A8=1.0838E-07,A10=0.0000E+00
第１７面
K=0.2982,A2=0.0000E+00,A4=-1.8734E-04,A6=-3.3149E-06,A8=2.2941E-08,
A10=0.0000E+00
第１８面
K=0.7444,A2=0.0000E+00,A4=5.0359E-04,A6=-4.4195E-06,A8=0.0000E+00,A10=0.0000E+00
第２６面
K=-0.3586,A2=0.0000E+00,A4=5.8452E-04,A6=-3.6543E-05,A8=2.1430E-07,
A10=0.0000E+00
〔硝材屈折率テーブル〕・・・ 本実施例にて使用した媒質の波長別屈折率一覧
GLA                587.56   656.27   486.13   435.84   404.66
L6,L8              1.530710 1.527870 1.537400 1.542740 1.547272
L9,L12,L13         1.945950 1.931230 1.983830 2.018254 2.051060
L1                 2.001700 1.988000 2.036520 2.067256 2.095660
L3,L7              1.633870 1.626381 1.653490 1.671610 1.688826
L15                1.583126 1.580139 1.589960 1.595296 1.599721
CG                 1.516330 1.513855 1.521905 1.526213 1.529768
L10                1.806098 1.800248 1.819945 1.831173 1.840781
L13                1.772499 1.767798 1.783374 1.791971 1.799174
L5                 2.003300 1.993011 2.028497 2.049714 2.068441
L4,L11             1.743198 1.738653 1.753716 1.762046 1.769040
L2                 1.903660 1.895260 1.924120 1.941280 1.956430
各種データ
広角        中間        望遠
焦点距離        5.27242    11.11812    24.97800
Ｆナンバー      3.5861      4.5706      5.2000
レンズ全長     54.0267     54.0931     54.0272
ＢＦ            0.40047     0.07609     0.40152
d7              0.46928     4.79531     9.38901
d15            10.24041     5.96274     1.32366
d16             5.41844     3.42952     1.38141
d21             3.89279     3.05047     0.71721
d23             1.99793     5.17156     9.20697
ズームレンズ群データ
群   始面   焦点距離
1     1     13.13794
2     8     -9.07875
3    17      8.18901
4    22     -9.57649
5    24     17.54883
第10面
h           z1(h)        球面成分         Δz1(h) 
2.645       -0.11801       -0.04366        -0.07435
第11面
h           z2(h)        球面成分         Δz2(h) 
2.645        0.22021        0.22021         0.00000
第12面
h           z3(h)        球面成分         Δz3(h) 
2.645        0.10012        0.10012         0.00000
第13面
h           z4(h)        球面成分         Δz4(h) 
2.645        0.22125        0.30063        -0.07937
【０２６６】
数値実施例１２
単位    ｍｍ
面データ
面番号          r            d         nd        νd       ER
物面            ∞           ∞
1*         -21.4006      1.0000     2.00170    20.60    7.195
2*          28.6212      1.0000     1.                  6.555
3              ∞        9.0000     1.90366    31.32    6.548
4              ∞        0.2000     1.                  6.082
5*          10.7728      0.1000     1.63387    23.38    5.921
6*          13.2141      3.5000     1.74320    49.34    5.901
7*         -19.2598      可変       1.                  6.200
8           50.8795      0.5000     2.00330    28.27    4.243
9            5.8104      1.9000     1.                  3.594
10*        -371.6962      0.6000     1.53071    55.69    3.556
11*          10.2078      0.6000     1.76300    15.80    3.607
12*          16.0684      0.1500     1.                  3.605
13           13.1529      1.3000     1.94595    17.98    3.616
14           44.9015      可変       1.                  3.500
15(絞り)        ∞       -0.3000     1.                  2.170
16*           8.8165      2.6000     1.80610    40.92    2.173
17*         -10.3548      0.1500     1.                  2.007
18          -26.2808      1.6000     1.74320    49.34    1.943
19           -8.6692      0.5000     1.94595    17.98    1.831
20         -215.4425      可変       1.                  1.800
21            9.9165      0.6000     1.77250    49.60    1.980
22            4.0437      可変       1.                  1.925
23         -128.1582      0.5000     1.94595    17.98    2.632
24           11.9548      3.0000     1.58313    59.38    2.793
25*          -5.3287      2.1799     1.                  3.294
26              ∞        0.8000     1.51633    64.14    3.708
27              ∞        0.40332    1.                  3.776
像面            ∞
非球面データ
第１面
K=2.8560,A2=0.0000E+00,A4=1.8714E-04,A6=0.0000E+00,A8=0.0000E+00,A10=0.0000E+00
第２面
K=-38.3865,A2=0.0000E+00,A4=2.0376E-04,A6=0.0000E+00,A8=0.0000E+00,
A10=0.0000E+00
第５面
K=0.,A2=0.0000E+00,A4=-3.1212E-04,A6=1.1835E-06,A8=-1.7089E-09,A10=0.0000E+00
第６面
K=0.0148,A2=0.0000E+00,A4=1.2707E-04,A6=-4.9915E-08,A8=-8.3250E-08,
A10=0.0000E+00
第７面
K=0.,A2=0.0000E+00,A4=3.7661E-05,A6=9.8786E-08,A8=-1.8127E-09,A10=0.0000E+00
第１０面
K=0.,A2=0.0000E+00,A4=-1.2807E-03,A6=-1.7246E-05,A8=3.7853E-07,A10=0.0000E+00
第１１面
K=0.,A2=0.0000E+00,A4=-3.3865E-04,A6=0.0000E+00,A8=0.0000E+00,A10=0.0000E+00
第１２面
K=0.,A2=0.0000E+00,A4=-1.1217E-03,A6=7.2681E-07,A8=5.7064E-07,A10=0.0000E+00
第１６面
K=0.2986,A2=0.0000E+00,A4=-1.9700E-04,A6=1.1517E-05,A8=-1.4583E-06,
A10=0.0000E+00
第１７面
K=0.7439,A2=0.0000E+00,A4=6.6763E-04,A6=-3.9796E-06,A8=0.0000E+00,A10=0.0000E+00
第２５面
K=-0.3518,A2=0.0000E+00,A4=1.2408E-03,A6=-5.1476E-05,A8=1.0582E-06,
A10=0.0000E+00
〔硝材屈折率テーブル〕・・・ 本実施例にて使用した媒質の波長別屈折率一覧
GLA              587.56   656.27   486.13   435.84   404.66
L6               1.530710 1.527870 1.537400 1.542740 1.547272
L8,L11,L13       1.945950 1.931230 1.983830 2.018254 2.051060
L1               2.001700 1.988000 2.036520 2.067256 2.095660
L3               1.633870 1.626381 1.653490 1.671610 1.688826
L14              1.583126 1.580139 1.589960 1.595296 1.599721
CG               1.516330 1.513855 1.521905 1.526213 1.529768
L9               1.806098 1.800248 1.819945 1.831173 1.840781
L12              1.772499 1.767798 1.783374 1.791971 1.799174
L5               2.003300 1.993011 2.028497 2.049714 2.068441
L4,L10           1.743198 1.738653 1.753716 1.762046 1.769040
L2               1.903660 1.895260 1.924120 1.941280 1.956430
L7               1.762995 1.750038 1.798323 1.832460 1.866893
各種データ
広角        中間        望遠
焦点距離        5.16807    11.09828    24.97964
Ｆナンバー      3.8491      4.8811      4.9000
レンズ全長     52.9340     53.0333     52.9330
ＢＦ            0.40332     0.22738     0.40298
d7              0.50976     4.26794     9.52443
d14            14.50965     7.81403     1.00035
d20             3.55819     3.08303     0.76752
d22             2.47317     6.16095     9.75780
ズームレンズ群データ
群   始面   焦点距離
1     1     13.18663
2     8     -8.44147
3    15      8.24208
4    21     -9.25078
5    23     12.54903
第10面
h           z1(h)        球面成分         Δz1(h)
2.733       -0.08757       -0.01005        -0.07752
第11面
h           z2(h)        球面成分         Δz2(h)
2.733        0.35390        0.37280        -0.01891
第12面
h           z3(h)        球面成分         Δz3(h)
2.733        0.17367        0.23421        -0.06054
【０２６７】
数値実施例１３
単位    ｍｍ
面データ
面番号          r            d         nd        νd       ER
物面            ∞           ∞
1*         -21.5367      1.0000     2.00170    20.60    5.700
2*          33.0691      0.8000     1.                  5.192
3              ∞        9.0000     1.90366    31.32    5.169
4              ∞        0.2000     1.                  4.798
5*          12.4749      0.1500     1.63387    23.38    4.718
6*          12.2905      3.6000     1.74320    49.34    4.681
7*         -16.0856      可変       1.                  5.700
8           12.7047      0.5000     1.88300    40.76    3.350
9            4.3608      1.7000     1.                  2.841
10*          -8.0909      0.6000     1.53071    55.69    2.819
11          -77.7299      0.4000     1.76300    15.80    2.866
12*         -21.7681      0.6000     1.53071    55.69    2.878
13*        -116.0235      0.1500     1.                  2.903
14           10.0530      1.0000     1.84666    23.78    2.906
15           18.0309      可変       1.                  2.800
16*           6.7436      1.6000     1.58313    59.38    2.317
17          -19.6603      0.7000     1.                  2.158
18(絞り)        ∞        可変       1.                  1.904
19         -671.5816      0.5000     1.92286    20.88    1.800
20            6.5978      0.4000     1.                  1.831
21           94.5840      1.2000     1.58313    59.38    1.893
22          -12.4231      0.1500     1.                  2.120
23            6.2671      1.5000     1.58313    59.38    2.321
24*         -13.3108      可変       1.                  2.324
25           -8.3540      0.6000     1.88300    40.76    2.097
26            8.4163      0.8000     1.                  2.186
27          -56.8055      0.6000     1.77250    49.60    2.389
28           15.0000      2.2000     1.51742    52.43    2.613
29           -6.7729      可変       1.                  3.037
30              ∞        0.8000     1.51633    64.14    3.608
31              ∞        0.39778    1.                  3.743
像面            ∞
第１面
K=0.,A2=0.0000E+00,A4=-5.3519E-04,A6=4.5369E-05,A8=-1.1271E-06,A10=1.0066E-08
第２面
K=0.,A2=0.0000E+00,A4=-5.1729E-04,A6=4.3348E-05,A8=-8.7937E-07,A10=5.9247E-09
第５面
K=0.,A2=0.0000E+00,A4=-2.4764E-04,A6=-1.0102E-06,A8=8.9665E-08,A10=-1.3013E-09
第６面
K=0.,A2=0.0000E+00,A4=-9.5583E-05,A6=0.0000E+00,A8=0.0000E+00,A10=0.0000E+00
第７面
K=0.,A2=0.0000E+00,A4=9.9246E-06,A6=-1.0102E-06,A8=5.9480E-08,A10=-8.4368E-10
第１０面
K=0.,A2=0.0000E+00,A4=6.0691E-04,A6=-1.6979E-04,A8=1.7728E-05,A10=-1.2188E-06
第１２面
K=0.,A2=0.0000E+00,A4=1.7628E-04,A6=1.4362E-05,A8=0.0000E+00,A10=0.0000E+00
第１３面
K=0.,A2=0.0000E+00,A4=2.5566E-05,A6=-5.5581E-05,A8=0.0000E+00,A10=0.0000E+00
第１６面
K=0.,A2=0.0000E+00,A4=-6.1310E-04,A6=-4.4660E-07,A8=-7.2922E-07,A10=0.0000E+00
第２４面
K=0.,A2=0.0000E+00,A4=3.9746E-04,A6=1.2542E-05,A8=0.0000E+00,A10=0.0000E+00
〔硝材屈折率テーブル〕・・・ 本実施例にて使用した媒質の波長別屈折率一覧
GLA               587.56   656.27   486.13   435.84   404.66
L11               1.922860 1.910380 1.954570 1.982810 2.009190
L6,L8             1.530710 1.527870 1.537400 1.542740 1.547272
L1                2.001700 1.988000 2.036520 2.067256 2.095660
L3                1.633870 1.626381 1.653490 1.671610 1.688826
L10,L12,L13       1.583126 1.580139 1.589960 1.595296 1.599721
CG                1.516330 1.513855 1.521905 1.526213 1.529768
L5,L14            1.882997 1.876560 1.898221 1.910495 1.920919
L15               1.772499 1.767798 1.783374 1.791971 1.799174
L4                1.743198 1.738653 1.753716 1.762046 1.769040
L16               1.517417 1.514444 1.524313 1.529804 1.534439
L9                1.846660 1.836488 1.872096 1.894186 1.914294
L2                1.903660 1.895260 1.924120 1.941280 1.956430
L7                1.762995 1.750038 1.798323 1.832460 1.866893
各種データ
広角        中間        望遠
焦点距離        6.67868    11.38471    24.52645
Ｆナンバー      4.6193      4.5976      4.9000
レンズ全長     48.5197     48.5202     48.5196
ＢＦ            0.39778     0.39678     0.39845
d7              0.40000     4.63465     8.89213
d15             9.09180     4.85627     0.60000
d18             3.61041     3.82028     4.38290
d24             2.79065     3.01259     1.10489
d29             1.47909     1.04961     2.39125
ズームレンズ群データ
群   始面    焦点距離
1      1     12.99831
2      8     -7.17024
3     16      8.80754
4     19     12.70555
5     25     -7.91255
第10面
h           z1(h)        球面成分         Δz1(h)
1.746       -0.18862       -0.19066         0.00204
第11面
h           z2(h)        球面成分         Δz2(h)
1.746       -0.01961       -0.01961        -0.00000
第12面
h           z3(h)        球面成分         Δz3(h)
1.746       -0.06810       -0.07014         0.00205
第13面
h           z4(h)        球面成分         Δz4(h)
1.746       -0.01448       -0.01314        -0.00134
【０２６８】
数値実施例１４
単位    ｍｍ
面データ
面番号          r            d         nd        νd       ER
物面            ∞           ∞
1*         -32.6759      1.0000     2.00170    20.60    7.248
2*          24.9684      1.3000     1.                  6.629
3              ∞        9.0000     1.90366    31.32    6.597
4              ∞        0.2000     1.                  6.194
5*          10.5258      0.1500     1.63387    23.38    6.048
6*          12.8372      3.6000     1.74320    49.34    6.037
7*         -20.4256      可変       1.                  6.000
8           34.0187      0.5000     2.00330    28.27    4.296
9            5.7477      2.0000     1.                  3.622
10*          -7.8588      0.6000     1.63387    23.38    3.590
11*          -6.7151      0.6000     1.53071    55.69    3.584
12*          61.1702      0.1500     1.                  3.475
13           11.0345      1.4000     1.94595    17.98    3.503
14          179.5833      可変       1.                  3.400
15            9.9349      1.1000     1.58313    59.38    2.074
16         7415.6576      0.7000     1.                  1.936
17(絞り)        ∞        可変       1.                  1.759
18*          22.2382      1.0000     1.51633    64.14    2.500
19*         -19.3600      0.5000     1.                  2.491
20           -6.7898      0.5000     1.92286    20.88    2.500
21           82.7698      1.5000     1.58313    59.38    2.726
22           -9.7359      0.1500     1.                  3.000
23*         176.4917      2.2000     1.74320    49.34    3.173
24*          -5.4230      可変       1.                  3.445
25          311.2715      0.6000     1.77250    49.60    2.764
26            4.9849      可変       1.                  2.654
27          -18.0443      1.7465     1.58313    59.38    3.140
28           -6.7852      0.4000     1.                  3.484
29              ∞        0.5000     1.51633    64.14    3.731
30              ∞        0.39995    1.                  3.790
像面            ∞
第１面
k=0.,A2=0.0000E+00,A4=-1.7862E-05,A6=3.8648E-07,A8=1.3961E-08,A10=-1.4014E-10
第２面
k=0.,A2=0.0000E+00,A4=-1.2432E-04,A6=3.3187E-06,A8=-1.4891E-08,A10=2.5961E-10
第５面
k=0.,A2=0.0000E+00,A4=-2.9357E-04,A6=-1.0229E-08,A8=-8.8546E-10,A10=-9.3778E-11
第６面
k=0.,A2=0.0000E+00,A4=-7.0547E-05,A6=0.0000E+00,A8=0.0000E+00,A10=0.0000E+00
第７面
k=0.,A2=0.0000E+00,A4=-1.6118E-06,A6=-2.1018E-07,A8=6.2962E-09,A10=-8.1553E-11
第１０面
k=0.,A2=0.0000E+00,A4=3.2985E-03,A6=-8.8576E-05,A8=1.3222E-06,A10=-9.3772E-09
第１１面
k=0.,A2=0.0000E+00,A4=2.7710E-03,A6=-1.0844E-04,A8=0.0000E+00,A10=0.0000E+00
第１２面
k=0.,A2=0.0000E+00,A4=2.7007E-03,A6=-6.0056E-05,A8=0.0000E+00,A10=0.0000E+00
第１８面
k=0.,A2=0.0000E+00,A4=-1.5988E-04,A6=2.2309E-05,A8=0.0000E+00,A10=0.0000E+00
第１９面
k=0.,A2=0.0000E+00,A4=2.9358E-04,A6=1.3023E-04,A8=0.0000E+00,A10=0.0000E+00
第２３面
k=0.,A2=0.0000E+00,A4=-1.1892E-03,A6=-5.8280E-06,A8=0.0000E+00,A10=0.0000E+00
第２４面
k=0.,A2=0.0000E+00,A4=4.0721E-04,A6=-1.3210E-05,A8=0.0000E+00,A10=0.0000E+00
〔硝材屈折率テーブル〕・・・ 本実施例にて使用した媒質の波長別屈折率一覧
GLA                587.56   656.27   486.13   435.84   404.66
L11                1.922860 1.910380 1.954570 1.982810 2.009190
L7                 1.530710 1.527870 1.537400 1.542740 1.547272
L8                 1.945950 1.931230 1.983830 2.018254 2.051060
L1                 2.001700 1.988000 2.036520 2.067256 2.095660
L3,L6              1.633870 1.626381 1.653490 1.671610 1.688826
L9,L12,L15         1.583126 1.580139 1.589960 1.595296 1.599721
L10                1.516330 1.513855 1.521905 1.526213 1.529768
CG                 1.516330 1.513855 1.521905 1.526213 1.529768
L14                1.772499 1.767798 1.783374 1.791971 1.799174
L5                 2.003300 1.993011 2.028497 2.049714 2.068441
L4,L13             1.743198 1.738653 1.753716 1.762046 1.769040
L2                 1.903660 1.895260 1.924120 1.941280 1.956430
各種データ
広角        中間        望遠
焦点距離        5.10614    11.31124    24.95003
Ｆナンバー      3.6480      4.2307      4.9000
レンズ全長     51.7866     51.7867     51.7866
ＢＦ            0.39995     0.39995     0.39994
d7              0.46186     5.35535     9.00888
d14             8.89928     4.00592     0.35227
d17             4.72521     3.36808     1.09372
d24             3.70491     2.84410     0.98495
d26             2.19892     4.41676     8.55038
ズームレンズ群データ
群   始面    焦点距離
1      1     12.52546
2      8     -8.42119
3     15     17.05924
4     18      7.58154
5     25     -6.56354
6     27     17.64024
第12面
h           z1(h)        球面成分         Δz1(h)
2.785        0.19797        0.06345         0.13452
第11面
h           z2(h)        球面成分         Δz2(h)
2.785       -0.48879       -0.60494         0.11615
第10面
h           z3(h)        球面成分         Δz3(h)
2.785       -0.34847       -0.51018         0.16171
【０２６９】
数値実施例１５
単位    ｍｍ
面データ
面番号          r            d         nd        νd       ER
物面            ∞           ∞
1          -22.7309      0.9000     2.14352    17.77    7.227
2          621.5701      0.3000     1.                  7.040
3              ∞        9.0000     1.90366    31.32    6.994
4              ∞        0.2000     1.                  6.160
5*          20.9932      0.7000     1.62263    58.16    5.990
6*          20.9932      0.1000     1.63387    23.38    5.869
7           20.7303      2.8000     2.04300    39.00    5.820
8          -30.2924      可変       1.                  6.000
9           16.5838      0.5000     1.88300    40.76    4.263
10            4.7460      2.2000     1.                  3.476
11*         -48.0230      0.6000     1.53071    55.69    3.410
12           11.4647      0.5000     1.63387    23.38    3.373
13           35.8884      0.6000     1.53071    55.69    3.366
14*           7.6215      0.5000     1.                  3.327
15           18.2837      1.1000     1.84666    23.78    3.342
16          -80.2498      可変       1.                  3.300
17           10.3908      1.1000     1.58313    59.38    2.503
18           55.6108      0.7000     1.                  2.394
19(絞り)        ∞        可変       1.                  2.278
20*           6.1157      2.3000     1.51633    64.14    2.500
21           32.5083      0.5000     1.92286    20.88    2.483
22           14.8826      2.0000     1.51633    64.14    2.471
23*          -8.2511      2.0000     1.                  2.500
24            8.9582      0.6000     1.92286    20.88    2.190
25            3.3887      可変       1.                  2.010
26          -21.9007      2.0000     1.51633    64.14    2.661
27           -6.5555      可変       1.                  3.072
28              ∞        0.8000     1.51633    64.14    3.684
29              ∞        0.38479    1.                  3.779
像面            ∞
第５面
K=0.,A2=0.0000E+00,A4=-8.7200E-05,A6=-2.1549E-07,A8=5.5177E-09,A10=-8.4879E-11
第６面
K=0.,A2=0.0000E+00,A4=-1.9070E-04,A6=1.3212E-06,A8=1.2990E-08,A10=0.0000E+00
第１１面
K=11.1716,A2=0.0000E+00,A4=-2.4606E-03,A6=1.4463E-04,A8=-5.0545E-06,
A10=6.4239E-08
第１４面
K=-6.9788,A2=0.0000E+00,A4=-1.4100E-03,A6=1.1270E-04,A8=-5.7367E-06,
A10=1.0219E-07
第２０面
K=1.2365,A2=0.0000E+00,A4=-1.5144E-03,A6=-4.4742E-05,A8=3.0444E-07,
A10=-3.7998E-07
第２３面
K=0.,A2=0.0000E+00,A4=1.0634E-03,A6=-5.0730E-05,A8=2.1658E-06,A10=-2.9025E-07
〔硝材屈折率テーブル〕・・・ 本実施例にて使用した媒質の波長別屈折率一覧
GLA               587.56   656.27   486.13   435.84   404.66
L5                2.042998 2.035064 2.061804 2.076930 2.089691
L13,L15           1.922860 1.910380 1.954570 1.982810 2.009190
L7,L9             1.530710 1.527870 1.537400 1.542740 1.547272
L1                2.143520 2.125601 2.189954 2.232324 2.273184
L3                1.622630 1.619350 1.630050 1.635825 1.640600
L4,L8             1.633870 1.626381 1.653490 1.671610 1.688826
L11               1.583126 1.580139 1.589960 1.595296 1.599721
L12,L14,L16       1.516330 1.513855 1.521905 1.526213 1.529768
CG                1.516330 1.513855 1.521905 1.526213 1.529768
L6                1.882997 1.876560 1.898221 1.910495 1.920919
L10               1.846660 1.836488 1.872096 1.894186 1.914294
L2                1.903660 1.895260 1.924120 1.941280 1.956430
各種データ
広角        中間        望遠
焦点距離        5.11674    10.93691    24.94675
Ｆナンバー      3.4193      4.5117      4.9000
レンズ全長     53.0343     53.0396     53.0342
ＢＦ            0.38479     0.38583     0.38455
d8              0.37543     4.83991    10.13208
d16            10.14450     5.68758     0.38771
d19             5.04206     2.03832     0.95887
d25             2.48587     6.88748     8.19261
d27             2.60168     1.20048     0.97840
ズームレンズ群データ
群   始面    焦点距離
1      1     17.62162
2      9     -6.81789
3     17     21.71914
4     20     21.30535
5     26     17.35006
第11面
h           z1(h)        球面成分         Δz1(h) 
2.776       -0.17700       -0.08027        -0.09673
第12面
h           z2(h)        球面成分         Δz2(h) 
2.776        0.34104        0.34104         0.00000
第13面
h           z3(h)        球面成分         Δz3(h) 
2.776        0.10749        0.10749        -0.00000
第14面
h           z4(h)        球面成分         Δz4(h) 
2.776        0.38255        0.52334        -0.14080
【０２７０】
数値実施例１６
単位    ｍｍ
面データ
面番号          r            d         nd        νd       ER
物面            ∞           ∞
1           41.8026      0.8000      1.77250    49.60    5.933
2            9.2873      1.8000      1.                  5.124
3              ∞        7.0000      1.90366    31.31    5.057
4              ∞        0.3000      1.                  4.130
5*          27.6354      0.7000      1.53071    55.69    4.027
6*          24.5525      0.3500      1.76290    15.80    3.882
7          178.1062      0.6000      1.53071    55.69    3.864
8*          13.8043      可変        1.                  3.700
9*           7.3070      1.8000      1.80610    40.92    2.600
10*         -22.2795      0.1000      1.                  2.262
11(絞り)        ∞        0.2000      1.                  2.160
12            6.8649      1.2000      1.74100    52.64    2.041
13          -73.9430      0.4000      1.84666    23.78    1.857
14            4.1446      可変        1.                  1.700
15         -311.5513      0.6000      1.58313    59.38    2.667
16           12.1293      可変        1.                  2.807
17*          11.3795      2.0000      1.80610    40.92    3.852
18          -29.3636      2.9706      1.                  3.904
19              ∞        0.5000      1.51633    64.14    3.837
20              ∞        0.38967     1.                  3.830
像面            ∞
非球面データ
第５面
K=-1.0000,A2=0.0000E+00,A4=-9.4957E-04,A6=5.9841E-06,A8=4.4992E-07,
A10=0.0000E+00
第６面
K=0.,A2=0.0000E+00,A4=-1.2452E-04,A6=0.0000E+00,A8=0.0000E+00,A10=0.0000E+00
第８面
K=-1.2598,A2=0.0000E+00,A4=-1.1437E-03,A6=1.8648E-05,A8=4.9540E-07,
A10=0.0000E+00
第９面
K=-1.8866,A2=0.0000E+00,A4=2.3465E-04,A6=3.5155E-06,A8=1.0995E-07,A10=0.0000E+00
第１０面
K=-1.0000,A2=0.0000E+00,A4=1.7570E-04,A6=-2.5719E-06,A8=3.2121E-07,
A10=0.0000E+00
第１７面
K=0.,A2=0.0000E+00,A4=-9.1445E-05,A6=-1.4656E-07,A8=0.0000E+00,A10=0.0000E+00
〔硝材屈折率テーブル〕・・・ 本実施例にて使用した媒質の波長別屈折率一覧
GLA              587.56   656.27   486.13   435.84   404.66
L4               1.762905 1.750038 1.798323 1.832460 1.866689
L3,L5            1.530710 1.527870 1.537400 1.542740 1.547272
L9               1.583126 1.580139 1.589960 1.595296 1.599721
CG               1.516330 1.513855 1.521905 1.526213 1.529768
L6,L10           1.806098 1.800248 1.819945 1.831173 1.840781
L1               1.772499 1.767798 1.783374 1.791971 1.799174
L7               1.740999 1.736727 1.750805 1.758500 1.764914
L8               1.846660 1.836488 1.872096 1.894186 1.914294
L2               1.903660 1.895260 1.924120 1.941278 1.956430
各種データ
広角        中間        望遠
焦点距離        6.21961    10.73920    18.59456
Ｆナンバー      3.1160      4.3832      5.9000
レンズ全長     39.8656     39.8638     39.8693
ＢＦ            0.38967     0.39236     0.38762
d8             11.44370     5.81199     0.30000
d14             4.52788     5.67324    15.58729
d16             2.18372     6.66560     2.27378
ズームレンズ群データ
群   始面   焦点距離
1     1    -12.46552
2     9      9.69313
3    15    -20.00735
4    17     10.40187
第8面
h           z1(h)        球面成分         Δz1(h) 
2.790        0.22249        0.28484        -0.06235
第7面
h           z2(h)        球面成分         Δz2(h) 
2.790        0.02185        0.02185        -0.00000
第6面
h           z3(h)        球面成分         Δz3(h) 
2.790        0.15147        0.15901        -0.00754
第5面
h           z4(h)        球面成分         Δz4(h) 
2.790        0.08777        0.14118        -0.05341
【０２７１】
数値実施例１７
単位    ｍｍ
面データ
面番号          r            d         nd        νd       ER
物面            ∞           ∞
1           26.3916      0.8000     1.58313    59.38    7.804
2           14.2860      2.2000     1.                  7.016
3              ∞        7.0000     1.90366    31.31    6.828
4              ∞        可変       1.                  5.065
5*         -26.9917      0.7000     1.53071    55.69    4.706(L1)
6*          14.0407      0.6000     1.63387    23.38    4.255(L2)
7*          23.2719      可変       1.                  4.200
8*           6.3016      1.2000     1.85135    40.10    2.033
9*         -19.4608      0.1000     1.                  1.852
10(絞り)        ∞        0.2000     1.                  1.749
11*           5.5217      1.2000     2.10223    16.77    1.762
12*           2.9744      可変       1.                  1.595
13          -19.2403      2.1000     1.74320    49.34    2.403
14*          -7.4765      可変       1.                  2.820
15              ∞        0.5000     1.51633    64.14    3.692
16              ∞        0.39539    1.                  3.744
像面            ∞
非球面データ
第５面
K=-1.0000,A2=0.0000E+00,A4=-7.6649E-04,A6=3.7390E-05,A8=-5.3476E-07,
A10=0.0000E+00
第６面
K=1.3251,A2=0.0000E+00,A4=4.7769E-04,A6=-4.0941E-05,A8=-9.1099E-07,
A10=1.1856E-07
第７面
K=-1.2797,A2=0.0000E+00,A4=-6.0926E-04,A6=3.0893E-05,A8=-6.1130E-08,
A10=0.0000E+00
第８面
K=-1.8057,A2=0.0000E+00,A4=9.4518E-04,A6=-2.3991E-05,A8=-2.5329E-06,
A10=0.0000E+00
第９面
K=-1.0000,A2=0.0000E+00,A4=7.2283E-04,A6=-7.5368E-05,A8=2.5676E-06,
A10=0.0000E+00
第１１面
K=-0.3348,A2=0.0000E+00,A4=-3.2566E-03,A6=-1.7964E-05,A8=1.2113E-05,
A10=0.0000E+00
第１２面
K=-0.8830,A2=0.0000E+00,A4=-3.4462E-03,A6=1.1323E-04,A8=2.2955E-05,
A10=0.0000E+00
第１４面
K=-1.0476,A2=0.0000E+00,A4=2.7239E-04,A6=-3.6171E-06,A8=0.0000E+00,
A10=0.0000E+00
〔硝材屈折率テーブル〕・・・ 本実施例にて使用した媒質の波長別屈折率一覧
GLA             587.56   656.27   486.13   435.84   404.66
L3              1.530710 1.527870 1.537400 1.542740 1.547272
L6              2.102230 2.084080 2.149790 2.193956 2.236910
L5              1.851350 1.845050 1.866280 1.878368 1.888684
L4              1.633870 1.626381 1.653490 1.671610 1.688826
L1              1.583126 1.580139 1.589960 1.595296 1.599721
CG              1.516330 1.513855 1.521905 1.526213 1.529768
L7              1.743198 1.738653 1.753716 1.762046 1.769040
L2              1.903660 1.895260 1.924120 1.941278 1.956430
各種データ
広角        中間        望遠
焦点距離        6.20135    10.73772    18.59931
Ｆナンバー      3.1152      4.2339      5.9000
レンズ全長     37.7648     37.7638     37.7583
ＢＦ            0.39539     0.39323     0.38983
d4              1.19259     4.34702     1.00000
d7             11.57783     3.84998     0.30000
d12             3.00632     7.60862    14.44613
d14             4.99264     4.96494     5.02229
ズームレンズ群データ
群   始面   焦点距離
1     1    -54.74267
2     5    -25.09179
3     8      9.86806
4    13     15.28982
第5面
h           z1(h)        球面成分         Δz1(h)
2.806       -0.17718       -0.14625        -0.03093
第6面
h           z2(h)        球面成分         Δz2(h)
2.806        0.29693        0.28324         0.01369
第7面
h           z3(h)        球面成分         Δz3(h)
2.806        0.14607        0.16979        -0.02372
【０２７２】
数値実施例１８
単位    ｍｍ
面データ
面番号          r            d         nd        νd       ER
物面            ∞           ∞
1           55.1968      0.8000     1.80100    34.97    7.691
2           13.1051      2.2000     1.                  6.793
3              ∞        7.0000     1.90366    31.31    6.708
4              ∞        0.1500     1.                  5.712
5           18.2265      2.0000     1.57200    33.80    5.440
6          515.9359      可変       1.                  5.092
7*         -24.3306      0.7000     1.53071    55.69    4.746
8*          12.1202      0.6000     1.63387    23.38    4.261
9*          22.3712      可変       1.                  4.200
10*           4.9623      1.2000     1.78590    44.20    2.274
11*         -91.4478      0.1000     1.                  2.118
12(絞り)        ∞        0.2000     1.                  2.031
13*           5.3649      1.2000     2.10223    16.77    2.018
14*           2.9524      可変       1.                  1.718
15          412.8154      2.1000     1.74320    49.34    2.044
16*         -16.1981      可変       1.                  2.404
17              ∞        0.5000     1.51633    64.14    3.694
18              ∞        0.39108    1.                  3.762
像面            ∞
非球面データ
第７面
K=-1.0000,A2=0.0000E+00,A4=-3.1727E-04,A6=1.8871E-05,A8=-1.0746E-07,
A10=0.0000E+00
第８面
K=1.3434,A2=0.0000E+00,A4=-9.2204E-04,A6=3.2320E-05,A8=2.5207E-06,
A10=-8.7542E-08
第９面
K=-1.2776,A2=0.0000E+00,A4=-5.1430E-04,A6=3.7208E-05,A8=-6.3364E-08,
A10=0.0000E+00
第１０面
K=-1.8025,A2=0.0000E+00,A4=3.9235E-04,A6=-1.1264E-04,A8=-6.7804E-06,
A10=0.0000E+00
第１１面
K=-1.0000,A2=0.0000E+00,A4=-1.4207E-03,A6=-1.0773E-05,A8=-2.4151E-06,
A10=0.0000E+00
第１３面
K=-0.3324,A2=0.0000E+00,A4=-3.2536E-04,A6=4.6645E-05,A8=1.4331E-05,
A10=0.0000E+00
第１４面
K=-0.8736,A2=0.0000E+00,A4=4.1630E-03,A6=1.4286E-04,A8=3.5255E-05,A10=0.0000E+00
第１６面
K=-0.9768,A2=0.0000E+00,A4=-2.4685E-04,A6=8.1195E-07,A8=0.0000E+00,
A10=0.0000E+00
〔硝材屈折率テーブル〕・・・ 本実施例にて使用した媒質の波長別屈折率一覧
GLA            587.56   656.27   486.13   435.84   404.66
L3             1.571998 1.567089 1.584010 1.594103 1.602966
L4             1.530710 1.527870 1.537400 1.542740 1.547272
L6             2.102230 2.084080 2.149790 2.193956 2.236910
L5             1.633870 1.626381 1.653490 1.671610 1.688826
CG             1.516330 1.513855 1.521905 1.526213 1.529768
L              1.785896 1.780584 1.798364 1.808375 1.816868
L8             1.743198 1.738653 1.753716 1.762046 1.769040
L1             1.800999 1.794275 1.817182 1.830612 1.842361
L2             1.903660 1.895260 1.924120 1.941278 1.956430
各種データ
広角        中間        望遠
焦点距離        6.21180    10.72860    18.59750
Ｆナンバー      2.8769      4.0588      5.9000
レンズ全長     38.5193     38.5170     38.5195
ＢＦ            0.39108     0.38954     0.39144
d6              1.18137     2.58778     1.00000
d9             10.73328     4.43577     0.30000
d14             1.48380     8.38483    16.08260
d16             5.97977     3.96908     1.99542
ズームレンズ群データ
群   始面   焦点距離
1     1   -129.65847   
2     7    -23.82629   
3    10     10.33788   
4    15     21.01608   
第7面
h           z1(h)        球面成分         Δz1(h)
2.797       -0.17153       -0.16128        -0.01025
第8面
h           z2(h)        球面成分         Δz2(h)
2.797        0.29936        0.32710        -0.02774
第9面
h           z3(h)        球面成分         Δz3(h)
2.797        0.16074        0.17551        -0.01477
【０２７３】
次に、各実施例におけるパラメータ及び条件式の値を掲げる。
各温度におけるｄ線の屈折率（Ａ〜Ｄは硝材）
20℃60%の屈折率  20度のアッベ数  0℃       40℃      温度分散Ｔ   逆数
A   1.53071          55.69           1.53286   1.52856   0.81024e-2   123.42
B   1.63387          23.38           1.63728   1.63047   1.07435e-2    93.08
C   1.63494          23.22           1.63837   1.63151   1.08042e-2    92.56
D   1.76290          15.80           1.76607   1.75973   0.83104e-2   120.33
20℃における各媒質の基線スペクトルに対する屈折率
C線         d線         e線         F線         g線         h線
A   1.52787     1.53071     1.53296     1.53740     1.54274     1.54727
B   1.62638     1.63387     1.64022     1.65349     1.67161     1.68883
C   1.62729     1.63494     1.64139     1.65464     1.67291     1.68988
D   1.75004     1.76290     1.77413     1.79832     1.83246     1.86669
0℃における各媒質の基線スペクトルに対する屈折率
C線         d線         e線         F線         g線         h線
A   1.53000     1.53286     1.53512     1.53958     1.54495     1.54951
B   1.62973     1.63728     1.64368     1.65698     1.67532     1.69283
C   1.63080     1.63837     1.64502     1.65837     1.67694     1.69379
D   1.75301     1.76607     1.77749     1.80211     1.83731     1.87291
40℃における各媒質の基線スペクトルに対する屈折率
C線         d線         e線         F線         g線         h線
A   1.52573     1.52856     1.53081     1.53522     1.54052     1.54500
B   1.62304     1.63047     1.63676     1.65001     1.66792     1.68487
C   1.62377     1.63151     1.63775     1.65091     1.66888     1.68547
D   1.74707     1.75973     1.77078     1.79455     1.82877     1.86279
【０２７４】
実施例1   実施例2   実施例3   実施例4   実施例5   実施例6
1  ｆw（広角端）      6.308     6.308     5.980     5.000     3.202     3.203
2  ｆs（ 中間 ）      9.871     9.871     10.170    8.660     5.529     5.533
3  ｆt（望遠端）      17.688    17.692    17.298    15.000    9.602     9.596
4  半画角(広角端)・・・DT込み 
33.9      34.1      34.8      41.1      38.6      38.6
5  半画角( 中間 )・・・DT込み  
20.7      20.9      20.5      23.8      21.7      21.8
6  半画角(望遠端)・・・DT込み  
12.0      12.0      12.4      14.1      12.9      12.9
7  γ(=ft／fw)        2.804     2.805     2.893     3.000     2.999     2.996
8  ｙ10               3.82      3.82      3.84      3.84      2.25      2.25
9  １/ν2−１/ν1     ***       ***       ***       ***       0.02482   0.04533
10 １/ν2−１/ν13    0.02511   0.02511   0.02482   0.04533   ***       ***
11 １/ν13            55.69     55.69     55.69     55.69     ***       ***
12 ν2/ν1            ***       ***       ***       ***       0.41982   0.28371
13 ν2/ν13           0.41695   0.41695   0.41982   0.28371   ***       ***
14 Ｔν2/Ｔν1        ***       ***       ***       ***       0.75417   0.97496
15 Ｔν2/Ｔν13       0.74996   0.74996   0.75417   0.97496   ***       ***
16 ｎ2−ｎ1           0.10423   0.10423   0.10316   0.23219   0.10316   0.23219
17 ｎ2−ｎ3           0.10423   0.10423   0.10316   0.23219   ***       ***
18 θgF               0.6680    0.6680    0.6684    0.7070    0.6684    0.7070
19 θhg               0.6205    0.6205    0.6351    0.7089    0.6351    0.7089
20 βgF               0.7293    0.7293    0.7301    0.7487    0.7301    0.7487
21 βhg               0.7106    0.7106    0.7258    0.7702    0.7258    0.7702
22 ｌｏｇ(φ3/φ1)   -0.00431  -0.53255  -0.02597  -0.66563   ***       ***
23 m                  2.5       2.5       2.5       2.5       2.5       2.5
24 a＝(ｙ10)2 ・ log10γ/ｆw   
1.0359    1.0362    1.1376    1.4071    0.7541    0.7532
25 h＝m・a            2.5898    2.5905    2.8440    3.5178    1.8853    1.8830
26 ｚ2（ｈ）          0.30510   0.05595  -0.30550   0.74073   0.43208   0.28273
27 ｚ3（ｈ）          0.19842   0.16528  -0.04194   0.34312   0.26552   0.21039
28 |z2(h)-z3(h)|      0.10668   0.10933   0.26356   0.39761   0.16656   0.07234
29 Δｚ2（h）        -0.00000   0.00000  -0.00000  -0.00793  -0.04711   0.00529
30 Δｚ3（h）        -0.00000   0.00000   0.00763  -0.00000  -0.05894  -0.00816
31 Δｚ2（h)・{(１/ν1)−(１/ν2)}  
-0.00000   -0.00000   -0.00000     0.35947e-3  1.16927e-3 -0.23940e-3
32 Δｚ3（h)・{(１/ν2)−(１/ν3)}  
-0.00000   -0.00000    0.18938e-3 -0.00000    -2.52096e-3 -0.51646e-3
33 Ｐ
0.00000    0.00000    0.18938e-3  0.35947e-3 -1.35169e-3 -0.75586e-3
34 φ 
-0.061151  -0.063132  -0.064757   -0.095796   -0.10779    -0.11166
35 P・φ 
0.00000    0.00000   -0.1226e-4  -0.3444e-4   1.455e-4    0.8440e-4
36 ｔ2 
0.35       0.514      0.8         0.7         0.5         0.25
37 |z2(h)-z3(h)|/t2  
0.30480    0.21270    0.32945     0.56891     0.33312     0.28936
38 ｎBn1 
***        ***        ***         ***         ***         ***
39 ｎBn1−ｎBp   
***        ***        ***         ***         ***         ***
40 φBn2／φBn1    
***        ***        ***         ***         ***         ***
41 Δｚ1（h） 
-0.06564   -0.09672    0.07295     0.18520    -0.02612     0.00986
42 Δｚ4（h）   
-0.09271   -0.06732    0.08622     0.16091     ***         ***
43 {Δz1(h)−Δｚ4(h)}／(fw・tanω10w)  
6.3862e-3 -6.8839e-3 -3.1928e-3   5.5688e-3   ***         ***
44 {Δz1(h)−Δｚ3(h)}／(fw・tanω10w)  
***        ***        ***         ***         0.012840    7.0475e-3
【０２７５】
実施例7   実施例8   実施例9   実施例10  実施例11  実施例12
1  ｆw（広角端）      5.980     6.417     5.025     5.100     5.272     5.168
2  ｆs（ 中間 ）      10.170    10.741    14.485    14.614    11.118    11.098
3  ｆt（望遠端）      17.300    18.473    47.857    47.878    24.978    24.980
4  半画角（広角端）・・・DT込み  
36.2      34.8      41.3      40.8      39.7      40.2
5  半画角（ 中間 ）・・・DT込み  
20.4      21.3      14.8      14.6      18.7      18.8
6  半画角（望遠端）・・・DT込み   
12.3      12.6      4.6       4.6       8.8       8.7
7  γ(=ｆt／fw）      2.893     2.879     9.524     9.384     4.738     4.834
8  ｙ10               3.84      3.82      3.83      3.83      3.84      3.84
9  １/ν2−１/ν1     ***       ***       ***       0.04533   ***       0.04533
10 １/ν2−１/ν13    0.04533   0.02482   0.02482   ***       0.02482   ***
11 １／ν13           55.69     55.69     55.69     55.69     55.69     55.69
12 ν2／ν1           ***       ***       ***       0.28371   ***       0.28371
13 ν2／ν13          0.28371   0.41982   0.41982   ***       0.41982   ***
14 Ｔν2／Ｔν1       ***       ***       ***       0.97496   ***       0.97496
15 Ｔν2／Ｔν13      0.97496   0.75417   0.75417   ***       0.75417   ***
16 ｎ2−ｎ1           0.23219   0.10316   0.10316   0.23219   0.10316   0.23219
17 ｎ2−ｎ3           0.23219   0.10316   0.10316   ***       0.10316   ***
18 θgF               0.7070    0.6684    0.6684    0.7070    0.6684    0.7070
19 θhg               0.7089    0.6351    0.6351    0.7089    0.6351    0.7089
20 βgF               0.7487    0.7301    0.7301    0.7487    0.7301    0.7487
21 βhg               0.7702    0.7258    0.7258    0.7702    0.7258    0.7702
22 ｌｏｇ(φ3/φ1)   -0.42809   ×       -1.40288   ***      -0.12968   ***
23 m                  2.5       2.5       1.0       1.0       1.4       1.4
24 a＝(ｙ10 )2 ・ log10γ/ｆw  
1.1376    1.0498    2.8574    2.7968    1.8896    1.9525
25 h＝m・a            2.8440    2.6245    2.8574    2.7968    2.6454    2.7335
26 ｚ2（ｈ）          0.39391   0.29077   0.79377   0.52978   0.22021   0.35390
27 ｚ3（ｈ）          0.19970   0.14407   0.41693   0.23015   0.10012   0.17367
28 |z2(h)-z3(h)|      0.19421   0.14670   0.37684   0.29963   0.12009   0.18023
29 Δｚ2（h）        -0.02024  -0.02044  -0.22816  -0.11326   0.00000  -0.01891
30 Δｚ3（h）         0.00000   0.00000  -0.00000  -0.04747   0.00000  -0.06054
31 Δｚ2（h)・{(１/ν1)−(１/ν2)}   
0.91748e-3  0.50732e-3  5.66293e-3  5.13408e-3 -0.00000    0.85719e-3
32 Δｚ3（h)・{(１/ν2)−(１/ν3)}    
-0.00000    -0.00000    -0.00000    -3.00443e-3 -0.00000   -3.83165e-3
33 Ｐ  
0.91748e-3  0.50732e-3  5.66293e-3  2.12965e-3  0.00000   -2.97446e-3
34 φ  
-0.074908   -0.062702   -0.057487   -0.042548   -0.048299  -0.025825
35 P・φ 
-0.6873e-4  -0.3181e-4  -0.3255e-4  -0.9061e-4   0.00000    0.7682e-4
36 ｔ2 
0.7         0.4         0.6         0.7         0.3        0.6
37 |z2(h)-z3(h)|/ｔ2 
0.27744     0.36675     0.62807     0.42804     0.40030    0.28945
38 ｎBn1    
***         ***         1.88300     2.0033      2.0033     2.0033
39 ｎBn1−ｎBp 
***         ***         0.07490     0.05735     0.05735    0.05735
40 φBn2／φBn1 
***         ***         0.34084     0.24638     0.30075    0.16963
41 Δｚ1（h）   
-0.00022     0.04549    -0.00091    -0.03007    -0.07435   -0.07752
42 Δｚ4（h） 
-0.05258     0.03931    -0.03809     ***        -0.07937    ***
43 {Δz1(h)−Δｚ4(h)}／(fw・tanω10w) 
0.011963    1.3857e-3   8.4221e-3   ***         1.1469e-3  ***
44 {Δz1(h)−Δｚ3(h)}／(fw・tanω10w) 
***         ***         ***         3.9526e-3   ***       -3.8880e-3
【０２７６】
実施例13  実施例14  実施例15  実施例16  実施例17  実施例18
1  ｆw（広角端）      6.679     5.106     5.117     6.220     6.201     6.212
2  ｆs（ 中間 ）      11.385    11.311    10.937    10.739    10.738    10.729
3  ｆt（望遠端）      24.526    24.950    24.947    18.595    18.599    18.598
4  半画角（広角端）・・・DT込み   
33.1      40.6      40.5      35.0      35.0      35.0
5  半画角（ 中間 ）・・・DT込み  
18.6      18.5      19.4      19.6      19.1      20.4
6  半画角（望遠端）・・・DT込み   
8.5       8.9       8.6       11.3      11.0      12.0
7  γ（=ｆt／fw）     3.672     4.886     4.875     2.990     2.999     2.994
8  ｙ10               3.84      3.84      3.84      3.82      3.82      3.82
9  １/ν2-１/ν1      ***       0.02482   ***       ***       0.02482   0.02482
10 １/ν2−１/ν13    0.04533   ***       0.02482   0.04533   ***       ***
11 １／ν13           55.69     55.69     55.69     55.69     55.69     55.69
12 ν2／ν1           ***       0.41982   ***       ***       0.41982   0.41982
13 ν2／ν13          0.28371    ***      0.41982   0.28371   ***       ***
14 Ｔν2／Ｔν1       ***       0.75417   ***       ***       0.75417   0.75417
15 Ｔν2／Ｔν13      0.97496   ***       0.75417   0.97496   ***       ***
16 ｎ2−ｎ1           0.23219   0.10316   0.10316   0.23219   0.10316   0.10316
17 ｎ2−ｎ3           0.23219   ***       0.10316   0.23219   ***       ***
18 θgF               0.7070    0.6684    0.6684    0.7070    0.6684    0.6684
19 θhg               0.7089    0.6351    0.6351    0.7089    0.6351    0.6351
20 βgF               0.7487    0.7301    0.7301    0.7487    0.7301    0.7301
21 βhg               0.7702    0.7258    0.7258    0.7702    0.7258    0.7258
22 ｌｏｇ(φ3/φ1)   -0.47123   ***      -0.02407  -1.20658   ***       ***
23 m                  1.4       1.4       1.4       2.5       2.5       2.5
24 a＝(ｙ10 )2 ・ log10γ/ｆw  
1.2472    1.9896    1.9825    1.1159    1.1224    1.1187
25 h＝m・a            1.7461    2.7854    2.7755    2.7898    2.8060    2.7968
26 ｚ2（ｈ）         -0.01961  -0.48879   0.34104   0.02185   0.29693   0.29936
27 ｚ3（ｈ）         -0.06810  -0.34847   0.10749   0.15147   0.14607   0.16074
28 |z2(h)-z3(h)|      0.04849   0.14032   0.23355   0.12962   0.15086   0.13862
29 Δｚ2（h）        -0.00000   0.11615   0.00000  -0.00000   0.01369  -0.02774
30 Δｚ3（h）         0.00205   0.16171  -0.00000  -0.00754  -0.02372  -0.01477
31 Δｚ2（h)・{(１/ν1)−(１/ν2)}    
-0.00000    -2.88284e-3 -0.00000  -0.00000    -0.33979e-3  0.68851e-3
32 Δｚ3（h)・{(１/ν2)−(１/ν3)}   
0.09293e-3  6.91660e-3 -0.00000  -0.34179e-3 -1.01454e-3 -0.63175e-3
33 Ｐ 
0.09293e-3  4.03376e-3  0.00000  -0.34179e-3 -1.35433e-3  0.05676e-3
34 φ  
-0.052681   -0.073994   -0.075015 -0.010185   -0.039854   -0.041970
35 P・φ  
-0.0490e-4  -2.9847e-4   0.00000   0.03481e-4  0.5396e-4  -0.0238e-4
36 ｔ2   
0.4         0.6         0.5       0.35        0.6         0.6
37 |z2(h)-z3(h)|/ｔ2   
0.12123     0.23387     0.46710   0.37034     0.25143     0.23103
38 ｎBn1  
1.88300     2.0033      1.88300   ***         ***         ***
39 ｎBn1−ｎBp  
0.03634     0.05735     0.03634   ***         ***         ***
40 φBn2／φBn1  
0.40789     0.51460     0.57604   ***         ***         ***
41 Δｚ1（h）  
0.00204     0.13452    -0.09673   0.06235    -0.03093    -0.01025
42 Δｚ4（h） 
-0.00134     ***        -0.14080  -0.05341     ***         ***
43 {Δz1(h)−Δｚ4(h)}／(fw・tanω10w)  
0.77630e-3  ***         0.010084  0.026579    ***         ***
44 {Δz1(h)−Δｚ3(h)}／(fw・tanω10w)   
***        -6.2129e-3   ***       ***        -1.66053e-3  1.03915e-3
【０２７７】
さて、以上のような本発明のズームレンズは、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２７８】
図３７〜図３９に本発明によるズームレンズをデジタルカメラの撮影光学系４１に組み込んだ構成の概念図を示す。図３７はデジタルカメラ４０の外観を示す前方斜視図、図３８は同後方斜視図、図３９はデジタルカメラ４０の光学構成を示す断面図である。
【０２７９】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０２８０】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２８１】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０２８２】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０２８３】
次に、本発明のズームレンズが対物光学系として内蔵された情報処理装置の一例であるパソコンを図４０〜図４２に示す。図４０はパソコン３００のカバーを開いた状態の前方斜視図、図４１はパソコン３００の撮影光学系３０３の断面図、図４２は図４０の側面図である。図４０〜図４２に示されるように、パソコン３００は、キーボード３０１と、情報処理手段や記録手段と、モニター３０２と、撮影光学系３０３とを有している。
【０２８４】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２８５】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０２８６】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図４０には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２８７】
次に、本発明のズームレンズが撮影光学系として内蔵された情報処理装置の一例である電話、特に持ち運びに便利な携帯電話を図４３に示す。図４３（a）は携帯電話４００の正面図、図４３（b）は側面図、図４３（c）は撮影光学系４０５の断面図である。図４３（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２８８】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行うためのものである。
【０２８９】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０２９０】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０２９１】
なお、本発明は、その趣旨を逸脱しない範囲で様々な変形例をとることができる。
【産業上の利用可能性】
【０２９２】
以上のように、本発明に係るレンズ成分、結合光学系、及び電子撮像装置は、小型薄型軽量化や低コスト化などの仕様の実現と、高画素数化にも耐えうるだけの光学性能の確保に有用である。
【符号の説明】
【０２９３】
Ｇ１          第１レンズ群
Ｇ２          第２レンズ群
Ｇ３          第３レンズ群
Ｇ４          第４レンズ群
Ｇ５          第５レンズ群
Ｇ６          第６レンズ群
Ｌ１〜Ｌ１６        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005508812.tif 000002
【図２】
0005508812.tif 000003
【図３】
0005508812.tif 000004
【図４】
0005508812.tif 000005
【図５】
0005508812.tif 000006
【図６】
0005508812.tif 000007
【図７】
0005508812.tif 000008
【図８】
0005508812.tif 000009
【図９】
0005508812.tif 000010
【図１０】
0005508812.tif 000011
【図１１】
0005508812.tif 000012
【図１２】
0005508812.tif 000013
【図１３】
0005508812.tif 000014
【図１４】
0005508812.tif 000015
【図１５】
0005508812.tif 000016
【図１６】
0005508812.tif 000017
【図１７】
0005508812.tif 000018
【図１８】
0005508812.tif 000019
【図１９】
0005508812.tif 000020
【図２０】
0005508812.tif 000021
【図２１】
0005508812.tif 000022
【図２２】
0005508812.tif 000023
【図２３】
0005508812.tif 000024
【図２４】
0005508812.tif 000025
【図２５】
0005508812.tif 000026
【図２６】
0005508812.tif 000027
【図２７】
0005508812.tif 000028
【図２８】
0005508812.tif 000029
【図２９】
0005508812.tif 000030
【図３０】
0005508812.tif 000031
【図３１】
0005508812.tif 000032
【図３２】
0005508812.tif 000033
【図３３】
0005508812.tif 000034
【図３４】
0005508812.tif 000035
【図３５】
0005508812.tif 000036
【図３６】
0005508812.tif 000037
【図３７】
0005508812.tif 000038
【図３８】
0005508812.tif 000039
【図３９】
0005508812.tif 000040
【図４０】
0005508812.tif 000041
【図４１】
0005508812.tif 000042
【図４２】
0005508812.tif 000043
【図４３】
0005508812.tif 000044